(57)【要約】      （修正有）【課題】ＷＬＡＮにおいて受信側がブラインド検出を用いて特徴信号シーケンスの開始位置を迅速に決定することを可能にし、データの処理および状態の切り替えを迅速に完了させることを保証する。【解決手段】物理層プロトコルデータユニットＰＰＤＵにおける、有用な情報を保持する最後の直交周波数分割多重方式ＯＦＤＭシンボルの一部のデータサブキャリアが、データシンボルシーケンスを保持し、有用な情報を保持する最後のＯＦＤＭシンボルの他のデータサブキャリアが、特徴信号シーケンスを保持する段階１と、特徴信号シーケンスの開始位置が、ＰＰＤＵをパースすることにより決定される段階２とを備える。【選択図】図４
2020039156.tif 000002
【特許請求の範囲】
【請求項１】
無線ローカルエリアネットワークに適用する、物理層プロトコルデータユニットを送信するための方法であって、
ＰＰＤＵを生成する段階であって、前記ＰＰＤＵにおける、有用な情報を保持する最後の直交周波数分割多重方式ＯＦＤＭシンボルの一部のデータサブキャリアは、データシンボルシーケンスを保持し、有用な情報を保持する前記最後のＯＦＤＭシンボルの他のデータサブキャリアは、特徴信号シーケンスを保持する、段階と、
前記ＰＰＤＵを送信する段階と
を備える
物理層プロトコルデータユニットを送信するための方法。
【請求項２】
前記特徴信号シーケンスは、受信側に知られているトレーニングシンボルシーケンスを含む、請求項１に記載の方法。
【請求項３】
前記特徴信号シーケンスは、ゼロ信号シーケンスを含み、前記ゼロ信号シーケンスにおける全ての信号は、ゼロである、請求項１に記載の方法。
【請求項４】
前記特徴信号シーケンスは、前記ＰＰＤＵにおける、有用な情報を保持する前記最後のＯＦＤＭシンボルの前記一部のデータサブキャリアにより保持される前記データシンボルシーケンスのコピーである、請求項１に記載の方法。
【請求項５】
前記特徴信号シーケンスは、前記ＰＰＤＵにおける、有用な情報を保持する最後から２番目のＯＦＤＭシンボルの対応位置におけるデータサブキャリアにより保持されるデータシンボルシーケンスのコピーである、請求項１に記載の方法。
【請求項６】
前記ＰＰＤＵは、信号拡張ＳＥフィールドをさらに含み、前記ＳＥフィールドは、有用な情報を保持する前記最後のＯＦＤＭシンボルの後ろに位置する、請求項１から５の何れか一項に記載の方法。
【請求項７】
無線ローカルエリアネットワークに適用する、物理層プロトコルデータユニットＰＰＤＵを送信するための方法であって、
ＰＰＤＵを受信する段階であって、前記ＰＰＤＵにおける、有用な情報を保持する最後の直交周波数分割多重方式の一部のデータサブキャリアは、データシンボルシーケンスを保持し、前記最後のＯＦＤＭシンボルの他のデータサブキャリアは、特徴信号シーケンスを保持する、段階と、
前記特徴信号シーケンスの開始位置を決定するべく、前記ＰＰＤＵをパースする段階と
を備える
物理層プロトコルデータユニットＰＰＤＵを送信するための方法。
【請求項８】
前記特徴信号シーケンスは、受信側に知られているトレーニングシンボルシーケンスを含む、請求項７に記載の方法。
【請求項９】
前記特徴信号シーケンスは、ゼロ信号シーケンスを含み、前記ゼロ信号シーケンスにおける全ての信号は、ゼロである、請求項７に記載の方法。
【請求項１０】
前記特徴信号シーケンスは、前記ＰＰＤＵにおける、有用な情報を保持する前記最後のＯＦＤＭシンボルの前記一部のデータサブキャリアにより保持されるデータシンボルシーケンスのコピーである、請求項７に記載の方法。
【請求項１１】
前記特徴信号シーケンスは、前記ＰＰＤＵにおける、有用な情報を保持する最後から２番目のＯＦＤＭシンボルの対応位置におけるデータサブキャリアにより保持されるデータシンボルシーケンスのコピーである、請求項７に記載の方法。
【請求項１２】
前記ＰＰＤＵは、信号拡張ＳＥフィールドをさらに含み、前記ＳＥフィールドは、有用な情報を保持する前記最後のＯＦＤＭシンボルの後ろに位置する、請求項７から１１の何れか一項に記載の方法。
【請求項１３】
無線ローカルエリアネットワークに適用する、物理層プロトコルデータユニットＰＰＤＵを送信するための方法であって、
ＰＰＤＵを生成する段階であって、前記ＰＰＤＵは、インジケーション情報を含み、前記インジケーション情報は、高効率シグナリングフィールドＨＥ−ＳＩＧに位置し、前記ＰＰＤＵは、信号拡張ＳＥフィールドを含み、前記ＳＥフィールドは、有用な情報を保持する最後の直交周波数分割多重方式ＯＦＤＭシンボルの後ろに位置する、段階と、
前記ＰＰＤＵを送信する段階と
を備える
方法。
【請求項１４】
Ｎ＝Ｍである場合、前記インジケーション情報の値は、第１値であり、または、
Ｎ≠Ｍである場合、前記インジケーション情報の値は、第２値であり、
Ｎは、前記ＰＰＤＵに含まれるＯＦＤＭシンボルの数量であり、Ｍは、前記ＰＰＤＵにおける、受信側によりレガシーシグナリングフィールドＬ−ＳＩＧにおける長さフィールドを用いて計算されるＯＦＤＭシンボルの数量である、請求項１３に記載の方法。
【請求項１５】
無線ローカルエリアネットワークに適用する、物理層プロトコルデータユニットＰＰＤＵを送信するための方法であって、
ＰＰＤＵを受信する段階であって、前記ＰＰＤＵは、インジケーション情報を含み、前記インジケーション情報は、高効率シグナリングフィールドＨＥ−ＳＩＧに位置し、前記ＰＰＤＵは、信号拡張ＳＥフィールドを含み、前記ＳＥフィールドは、有用な情報を保持する最後の直交周波数分割多重方式ＯＦＤＭシンボルの後ろに位置する、段階と、
前記ＰＰＤＵの送信におけるＯＦＤＭシンボルの数量Ｍ１を取得するべく、前記ＰＰＤＵをパースする段階と
を備える
方法。
【請求項１６】
前記ＰＰＤＵをパースする前記段階は、
前記インジケーション情報の値が第１値である場合、Ｍ１の値を不変のままに保つ段階、または、
前記インジケーション情報の値が第２値である場合、Ｍ１から１を減算する段階を含む、請求項１５に記載の方法。
【請求項１７】
無線ローカルエリアネットワークに適用する、物理層プロトコルデータユニットＰＰＤＵを送信するための方法であって、
ＰＰＤＵを生成する段階であって、前記ＰＰＤＵは、インジケーション情報を含み、前記インジケーション情報は、高効率シグナリングフィールドＨＥ−ＳＩＧに位置し、前記ＰＰＤＵは、信号拡張ＳＥフィールドを含み、前記ＳＥフィールドは、有用な情報を保持する最後の直交周波数分割多重方式ＯＦＤＭシンボルの後ろに位置し、前記インジケーション情報は、前記ＳＥフィールドを含む前記ＰＰＤＵの区間を示すために用いられる、段階と、
前記ＰＰＤＵを送信する段階と
を備える
方法。
【請求項１８】
無線ローカルエリアネットワークに適用する、物理層プロトコルデータユニットＰＰＤＵを送信するための方法であって、
ＰＰＤＵを受信する段階であって、前記ＰＰＤＵは、インジケーション情報を含み、前記インジケーション情報は、高効率シグナリングフィールドＨＥ−ＳＩＧに位置し、前記ＰＰＤＵは、信号拡張ＳＥフィールドを含み、前記ＳＥフィールドは、有用な情報を保持する最後の直交周波数分割多重方式ＯＦＤＭシンボルの後ろに位置し、前記インジケーション情報は、前記ＳＥフィールドを含む前記ＰＰＤＵの区間を示すために用いられる、段階と、
前記ＰＰＤＵの送信におけるＯＦＤＭシンボルの数量Ｍ２を取得するべく、前記ＰＰＤＵをパースする段階と
を備える
方法。
【請求項１９】
前記ＰＰＤＵの送信におけるＯＦＤＭシンボルの数量Ｍ２を取得するべく、前記ＰＰＤＵパースする前記段階は、
前記ＰＰＤＵの送信時間と、Ｍ２個の前記ＯＦＤＭシンボルの区間との間の差が、前記ＳＥフィールドの区間より小さい場合、Ｍ２から１を減算する段階、または、
前記ＰＰＤＵの送信時間と、Ｍ２個の前記ＯＦＤＭシンボルの区間との間の差が前記ＳＥフィールドの区間より大きい、またはそれに等しい場合、Ｍ２を不変のままに保つ段階を含む、請求項１８に記載の方法。
【請求項２０】
無線ローカルエリアネットワークに適用する、物理層プロトコルデータユニットＰＰＤＵの送信装置であって、
ＰＰＤＵを生成するよう構成される処理ユニットであって、前記ＰＰＤＵにおける、有用な情報を保持する最後の周波数分割多重方式ＯＦＤＭシンボルの一部のデータサブキャリアは、データシンボルシーケンスを保持し、有用な情報を保持する前記最後のＯＦＤＭシンボルの他のデータサブキャリアは、特徴信号シーケンスを保持する、処理ユニットと、
前記ＰＰＤＵを送信するよう構成される送受信ユニットと
を備える
送信装置。
【請求項２１】
前記特徴信号シーケンスは、受信側に知られているトレーニングシンボルシーケンスを含む、請求項２０に記載の送信装置。
【請求項２２】
前記特徴信号シーケンスは、ゼロ信号シーケンスを含み、前記ゼロ信号シーケンスにおける全ての信号は、ゼロである、請求項２０に記載の送信装置。
【請求項２３】
前記特徴信号シーケンスは、前記ＰＰＤＵにおける、有用な情報を保持する前記最後のＯＦＤＭシンボルの前記一部のデータサブキャリアにより保持される前記データシンボルシーケンスのコピーである、請求項２０に記載の送信装置。
【請求項２４】
前記特徴信号シーケンスは、前記ＰＰＤＵにおける、有用な情報を保持する最後から２番目のＯＦＤＭシンボルの対応位置におけるデータサブキャリアにより保持されるデータシンボルシーケンスのコピーである、請求項２０に記載の送信装置。
【請求項２５】
前記ＰＰＤＵは、信号拡張ＳＥフィールドをさらに含み、前記ＳＥフィールドは、有用な情報を保持する前記最後のＯＦＤＭシンボルの後ろに位置する、請求項２０から２４の何れか一項に記載の送信装置。
【請求項２６】
無線ローカルエリアネットワークに適用する、物理層プロトコルデータユニットＰＰＤＵの送信装置であって、
ＰＰＤＵを受信するよう構成される送受信ユニットであって、前記ＰＰＤＵにおける、有用な情報を保持する最後の直交周波数分割多重方式ＯＦＤＭシンボルの一部のデータサブキャリアは、データシンボルシーケンスを保持し、前記最後のＯＦＤＭシンボルの他のデータサブキャリアは、特徴信号シーケンスを保持する、送受信ユニットと、
前記特徴信号シーケンスの開始位置を決定するべく、前記ＰＰＤＵをパースするよう構成される処理ユニットと
を備える
送信装置。
【請求項２７】
前記特徴信号シーケンスは、受信側に知られているトレーニングシンボルシーケンスを含む、請求項２６に記載の送信装置。
【請求項２８】
前記特徴信号シーケンスは、ゼロ信号シーケンスを含み、前記ゼロ信号シーケンスにおける全ての信号は、ゼロである、請求項２６に記載の送信装置。
【請求項２９】
前記特徴信号シーケンスは、前記ＰＰＤＵにおける、有用な情報を保持する前記最後のＯＦＤＭシンボルの前記一部のデータサブキャリアにより保持される前記データシンボルシーケンスのコピーである、請求項２６に記載の送信装置。
【請求項３０】
前記特徴信号シーケンスは、前記ＰＰＤＵにおける、有用な情報を保持する最後から２番目のＯＦＤＭシンボルの対応位置におけるデータサブキャリアにより保持されるデータシンボルシーケンスのコピーである、請求項２６に記載の送信装置。
【請求項３１】
前記ＰＰＤＵは、信号拡張ＳＥフィールドをさらに含み、前記ＳＥフィールドは、有用な情報を保持する前記最後のＯＦＤＭシンボルの後ろに位置する、請求項２６から３０の何れか一項に記載の送信装置。
【請求項３２】
無線ローカルエリアネットワークに適用する、物理層プロトコルデータユニットＰＰＤＵを送信するための装置であって、
ＰＰＤＵを生成するよう構成される処理ユニットであって、前記ＰＰＤＵは、インジケーション情報を含み、前記インジケーション情報は、高効率シグナリングフィールドＨＥ−ＳＩＧに位置し、前記ＰＰＤＵは、信号拡張ＳＥフィールドを含み、前記ＳＥフィールドは、有用な情報を保持する最後の直交周波数分割多重方式ＯＦＤＭシンボルの後ろに位置する、処理ユニットと、
前記ＰＰＤＵを送信するよう構成される送受信ユニットと
を備える
送信装置。
【請求項３３】
Ｎ＝Ｍである場合、前記インジケーション情報の値は、第１値であり、または、
Ｎ≠Ｍである場合、前記インジケーション情報の値は、第２値であり、
Ｎは、前記ＰＰＤＵに含まれるＯＦＤＭシンボルの数量であり、Ｍは、前記ＰＰＤＵにおける、受信側によりレガシーシグナリングフィールドＬ−ＳＩＧにおける長さフィールドを用いて計算されるＯＦＤＭシンボルの数量である、請求項３２に記載の送信装置。
【請求項３４】
無線ローカルエリアネットワークに適用する、物理層プロトコルデータユニットＰＰＤＵを送信するための装置であって、
ＰＰＤＵを受信するよう構成される送受信ユニットであって、前記ＰＰＤＵは、インジケーション情報を含み、前記インジケーション情報は、高効率シグナリングフィールドＨＥ−ＳＩＧに位置し、前記ＰＰＤＵは、信号拡張ＳＥフィールドを含み、前記ＳＥフィールドは、有用な情報を保持する最後の直交周波数分割多重方式ＯＦＤＭシンボルの後ろに位置する、送受信ユニットと、
前記ＰＰＤＵの送信におけるＯＦＤＭシンボルの数量Ｍ１を取得するべく、前記ＰＰＤＵをパースするよう構成される処理ユニットと
を備える
送信装置。
【請求項３５】
前記ＰＰＤＵをパースすることは、前記インジケーション情報の値が第１値である場合、Ｍ１の値を不変のままに保つこと、または、
前記インジケーション情報の値が第２値である場合、Ｍ１から１を減算することを含む、請求項３４に記載の送信装置。
【請求項３６】
無線ローカルエリアネットワークに適用する、物理層プロトコルデータユニットＰＰＤＵの送信装置であって、
ＰＰＤＵを生成するよう構成される処理ユニットであって、前記ＰＰＤＵは、インジケーション情報を含み、前記インジケーション情報は、高効率シグナリングフィールドＨＥ−ＳＩＧに位置し、前記ＰＰＤＵは、信号拡張ＳＥフィールドを含み、前記ＳＥフィールドは、有用な情報を保持する最後の直交周波数分割多重方式ＯＦＤＭシンボルの後ろに位置し、前記インジケーション情報は、前記ＳＥフィールドを含む前記ＰＰＤＵの区間を示すために用いられる、処理ユニットと、
前記ＰＰＤＵを送信するよう構成される送受信ユニットと
を備える
送信装置。
【請求項３７】
無線ローカルエリアネットワークに適用する、物理層プロトコルデータユニットＰＰＤＵの送信装置であって、
ＰＰＤＵを受信するよう構成される送受信ユニットであって、前記ＰＰＤＵは、インジケーション情報を含み、前記インジケーション情報は、高効率シグナリングフィールドＨＥ−ＳＩＧに位置し、前記ＰＰＤＵは、信号拡張ＳＥフィールドを含み、前記ＳＥフィールドは、有用な情報を保持する最後の直交周波数分割多重方式ＯＦＤＭシンボルの後ろに位置し、前記インジケーション情報は、前記ＳＥフィールドを含む前記ＰＰＤＵの区間を示すために用いられる、送受信ユニットと、
前記ＰＰＤＵの送信におけるＯＦＤＭシンボルの数量Ｍ２を取得するべく、前記ＰＰＤＵをパースするよう構成される処理ユニットと
を備える
送信装置。
【請求項３８】
前記ＰＰＤＵの送信におけるＯＦＤＭシンボルの数量Ｍ２を取得するべく、前記ＰＰＤＵをパースすることは、
前記ＰＰＤＵの送信時間と、Ｍ２個の前記ＯＦＤＭシンボルの区間との間の差が前記ＳＥフィールドの区間より小さい場合、Ｍ２から１を減算すること、または、
前記ＰＰＤＵの送信時間と、Ｍ２個の前記ＯＦＤＭシンボルの区間との間の差が前記ＳＥフィールドの区間より大きい、またはそれに等しい場合、Ｍ２の値を不変のままに保つことを含む、請求項３７に記載の送信装置。
【発明の詳細な説明】
【技術分野】
【０００１】
［関連出願の相互参照］
本願は、２０１５年５月５日に中国特許庁に出願された「物理層プロトコルデータユニットを送信するための方法および装置」と題する中国特許出願番号第ＰＣＴ／ＣＮ２０１５／０７８３３３号に基づく優先権を主張し、該出願の全体は、参照により、本明細書に組み込まれている。
【０００２】
本願発明は、通信技術の分野に関し、特に、物理層プロトコルデータユニットを送信するための方法および装置に関する。
【背景技術】
【０００３】
ＷＬＡＮ（英語表記：Ｗｉｒｅｌｅｓｓ  Ｌｏｃａｌ  Ａｒｅａ  Ｎｅｔｗｏｒｋ、中国語表記：無線ローカルエリアネットワーク）において、データ送信効率を向上させるために、４ｘシンボル長が、次世代ＷＬＡＮ規格８０２．１１ａｘに導入され、８０２．１１ａ／ｎ／ａｃのシンボルが、それに対応して１ｘシンボルと称される。
【０００４】
４ｘシンボル長は、ＯＦＤＭ（英語表記：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略して、直交周波数分割多重方式）シンボルにおいて、データの長さが１２．８μｓであることを意味する。それに対応して、ＯＦＤＭシンボルにおける３．２μｓ  ＣＰのパーセンテージが（３．２／（３．２＋１２．８））＝２０％になる。このことは、送信効率を有効に向上させる。データ部分の時間領域の送信時間が、３．２μｓから１２．８μｓに変化し、４倍に増加することが分かる。より小さい帯域幅がより長い送信時間を示すので、周波数領域において、このことは、それに対応して、各サブキャリアの帯域幅において４倍の減少を表す。具体的に言うと、８０２．１１ａｃに対して、２０ＭＨｚの６４個のサブキャリアが存在して６４ポイントのＦＦＴに対応し、４０ＭＨｚの１２８個のサブキャリアが存在して１２８ポイントのＦＦＴに対応し、８０ＭＨｚの２５６個のサブキャリアが存在して２５６ポイントのＦＦＴに対応する。８０２．１１ａｘに対して、２０ＭＨｚの２５６個のサブキャリアが存在して２５６ポイントのＦＦＴに対応し、４０ＭＨｚの５１２個のサブキャリアが存在して５１２ポイントのＦＦＴに対応し、８０ＭＨｚの１０２４個のサブキャリアが存在して１０２４ポイントのＦＦＴに対応する。
【０００５】
例えば、２０ＭＨｚを用いると、８０２．１１ａｃの６４個のサブキャリアは、５２個のデータサブキャリアと、４個のパイロットサブキャリアとを含み、８０２．１１ａｘの２５６個のサブキャリアは、２３４個のデータサブキャリアと、８個のパイロットサブキャリアとを含む。同じＭＣＳ（英語表記：Ｍｏｄｕｌａｔｉｏｎ  ａｎｄ  Ｃｏｄｉｎｇ  Ｓｃｈｅｍｅ、中国語表記：変調および符号化方式）が用いられる場合、２３４＞４×５２であるため、８０２．１１ａｘにおいて送信され得るデータ量は、８０２．１１ａｃにおいて送信され得るデータ量の４倍よりもより大きい。４０ＭＨｚおよび８０ＭＨｚの場合においても、結果は同じである。
【０００６】
４ｘデータシンボル長が導入された後、受信側に対して、各ＯＦＤＭシンボルを処理するために必要とされる時間が増加する。受信側での処理時間は主に、１．ＦＦＴ（英語表記：Ｆａｓｔ  Ｆｏｕｒｉｅｒ  Ｔｒａｎｓｆｏｒｍ、中国語表記：高速フーリエ変換）、２．デマッピング、および３．チャネル復号を含む。チャネル復号は、上記３つのうち、最も時間を消費するものである。各ＯＦＤＭシンボルにおけるデータ量が増大するので、チャネル復号の時間が増加する。この処理遅延は、（８０ＭＨｚなどの）高帯域幅、および／または（ＭＣＳ９などの）高ＭＣＳの場合において、非常に深刻になる。
【０００７】
即時応答（ＳＩＦＳ＝１６μｓ後に応答すること）を要求するいくつかのデータフレームまたは制御フレームを受信した後、受信側は、該データフレームまたは制御フレームの処理をまず完了させ、次に、受信状態から送信状態に切り替わる必要がある。これら２つの部分は、ＳＩＦＳ（英語表記：Ｓｈｏｒｔ  Ｉｎｔｅｒｆｒａｍｅ  Ｓｐａｃｅ、中国語表記：短フレーム間間隔）時間内に完了する必要がある。１ｘシンボル長（すなわち、８０２．１１ａ／ｎ／ａｃの一フレーム）に対して、１６μｓのＳＩＦＳ時間は、受信側がデータの処理および状態の切り替えを完了させるのに十分である。しかしながら、４ｘシンボル（すなわち、８０２．１１ａｘの一フレーム）に対して、データ処理は、比較的長い遅延をもたらし得る。結果として、現在の１６μｓのＳＩＦＳ時間内に、受信側は、データの処理状態の切り替えを完了させることができない。
【発明の概要】
【０００８】
本願発明は、物理層プロトコルデータユニットを送信するための方法および装置を提供し、これにより、受信側でのデータ処理によりもたらされた比較的長い遅延に起因して受信側が現在の１６μｓのＳＩＦＳ時間内にデータの処理状態の切り替えを完了できないといった課題を解決する。
【０００９】
第１態様によれば、本願発明の実施形態は、無線ローカルエリアネットワークに適用する、物理層プロトコルデータユニットＰＰＤＵを送信する方法ためのを提供し、該方法は、ＰＰＤＵを生成する段階であって、ＰＰＤＵにおける、有用な情報を保持する最後の直交周波数分割多重方式ＯＦＤＭシンボルの一部のデータサブキャリアは、データシンボルシーケンスを保持し、有用な情報を保持する最後のＯＦＤＭシンボルの他のデータサブキャリアは、特徴信号シーケンスを保持する、段階と、ＰＰＤＵを送信する段階とを備える。
【００１０】
第１態様の第１の可能な実装方式において、特徴信号シーケンスは、受信側に知られているトレーニングシンボルシーケンスを含む。
【００１１】
第１態様の第２の可能な実装方式において、特徴信号シーケンスは、ゼロ信号シーケンスを含み、ゼロ信号シーケンスにおける全ての信号は、ゼロである。
【００１２】
第１態様の第３の可能な実装方式において、特徴信号シーケンスは、ＰＰＤＵにおける、有用な情報を保持する最後のＯＦＤＭシンボルの一部のデータサブキャリアにより保持されるデータシンボルシーケンスのコピーである。
【００１３】
第１態様の第４の可能な実装方式において、特徴信号シーケンスは、ＰＰＤＵにおける、有用な情報を保持する最後から２番目のＯＦＤＭシンボルの対応位置におけるデータサブキャリアにより保持されるデータシンボルシーケンスのコピーである。
【００１４】
第１態様および第１態様の先述の可能な実装方式において、ＰＰＤＵは、信号拡張ＳＥフィールドをさらに含み、ＳＥフィールドは、有用な情報を保持する最後のＯＦＤＭシンボルの後ろに位置する。
【００１５】
第２態様によれば、本願発明の実施形態は、無線ローカルエリアネットワークに適用する、物理層プロトコルデータユニットＰＰＤＵを送信するための方法を提供し、該方法は、ＰＰＤＵを受信する段階であって、ＰＰＤＵにおける、有用な情報を保持する最後の直交周波数分割多重方式ＯＦＤＭシンボルの一部のデータサブキャリアは、データシンボルシーケンスを保持し、最後のＯＦＤＭシンボルの他のデータサブキャリアは、特徴信号シーケンスを保持する、段階と、特徴信号シーケンスの開始位置を決定するべく、ＰＰＤＵをパースする段階とを備える。
【００１６】
第２態様の第１の可能な実装方式において、特徴信号シーケンスは、受信側に知られているトレーニングシンボルシーケンスを含む。
【００１７】
第２態様の第２の可能な実装方式において、特徴信号シーケンスは、ゼロ信号シーケンスを含み、ゼロ信号シーケンスンおける全ての信号は、ゼロである。
【００１８】
第２態様の第３の可能な実装方式において、特徴信号シーケンスは、ＰＰＤＵにおける、有用な情報を保持する最後のＯＦＤＭシンボルの一部のデータサブキャリアにより保持されるデータシンボルシーケンスのコピーである。
【００１９】
第２態様の第４の可能な実装方式において、特徴信号シーケンスは、ＰＰＤＵにおける、有用な情報を保持する最後から２番目のＯＦＤＭシンボルの対応位置におけるデータサブキャリアにより保持されるデータシンボルシーケンスのコピーである。
【００２０】
第２態様および第２態様の先述の可能な実装方式において、ＰＰＤＵは、信号拡張ＳＥフィールドをさらに含み、ＳＥフィールドは、有用な情報を保持する最後のＯＦＤＭシンボルの後ろに位置する。
【００２１】
第３態様によれば、本願発明の実施形態は、無線ローカルエリアネットワークに適用する、物理層プロトコルデータユニットＰＰＤＵを送信するための方法を提供し、該方法は、ＰＰＤＵを生成する段階であって、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置する、段階と、ＰＰＤＵを送信する段階とを備える。
【００２２】
第３態様の第１の可能な実装方式において、Ｎ＝Ｍである場合、インジケーション情報の値は、第１値であり、または、Ｎ≠Ｍである場合、インジケーション情報の値は、第２値であり、ここで、Ｎは、ＰＰＤＵに含まれるＯＦＤＭシンボルの数量であり、Ｍは、ＰＰＤＵにおける、受信側によりレガシーシグナリングフィールドＬ−ＳＩＧにおける長さフィールドを用いて計算されるＯＦＤＭシンボルの数量である。
【００２３】
第４態様によれば、本願発明の実施形態は、無線ローカルエリアネットワークに適用する、物理層プロトコルデータユニットＰＰＤＵを送信するための方法を提供し、該方法は、ＰＰＤＵを受信する段階であって、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置する、段階と、ＰＰＤＵの送信におけるＯＦＤＭシンボルの数量Ｍ１を取得するべく、ＰＰＤＵをパースする段階とを備える。
【００２４】
第４態様の第１の可能な実装方式において、ＰＰＤＵをパースする段階は、インジケーション情報の値が第１値である場合、Ｍ１の値を不変のままに保つ段階、または、インジケーション情報の値が第２値である場合、Ｍ１から１を減算する段階を含む。
【００２５】
第５態様によれば、本願発明の実施形態は、無線ローカルエリアネットワークに適用する、物理層プロトコルデータユニットＰＰＤＵを送信するための方法を提供し、該方法は、ＰＰＤＵを生成する段階であって、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置し、インジケーション情報は、ＳＥフィールドを含むＰＰＤＵの区間を示すために用いられる、段階と、ＰＰＤＵを送信する段階とを備える。
【００２６】
第６態様によれば、本願発明の実施形態は、無線ローカルエリアネットワークに適用する、物理層プロトコルデータユニットＰＰＤＵを送信するための方法を提供し、該方法は、ＰＰＤＵを受信する段階であって、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置し、インジケーション情報は、ＳＥフィールドを含むＰＰＤＵの区間を示すために用いられる、段階と、ＰＰＤＵの送信におけるＯＦＤＭシンボルの数量Ｍ２を取得するべく、ＰＰＤＵをパースする段階とを備える。
【００２７】
第６態様の第１の可能な実装方式において、ＰＰＤＵの送信におけるＯＦＤＭシンボルの数量Ｍ２を取得するべく、ＰＰＤＵをパースする段階は、ＰＰＤＵの送信時間と、Ｍ２個のＯＦＤＭシンボルの区間との間の差がＳＥフィールドの区間より小さい場合、Ｍ２から１を減算する段階、または、ＰＰＤＵの送信時間と、Ｍ２個のＯＦＤＭシンボルの区間との間の差がＳＥフィールドの区間より大きい、またはそれに等しい場合、Ｍ２の値を不変のままに保つ段階を含む。
【００２８】
第７態様によれば、本願発明の実施形態は、無線ローカルエリアネットワークに適用する、物理層プロトコルデータユニットＰＰＤＵを送信するための装置を提供し、該装置は、ＰＰＤＵを生成するよう構成される処理ユニットであって、ＰＰＤＵにおける、有用な情報を保持する最後の直交周波数分割多重方式ＯＦＤＭシンボルの一部のデータサブキャリアは、データシンボルシーケンスを保持し、有用な情報を保持する最後のＯＦＤＭシンボルの他のデータサブキャリアは、特徴信号シーケンスを保持する、処理ユニットと、ＰＰＤＵを送信するよう構成される送受信ユニットとを備える。
【００２９】
第７態様の第１の可能な実装方式において、特徴信号シーケンスは、受信側に知られているトレーニングシンボルシーケンスを含む。
【００３０】
第７態様の第２の可能な実装方式において、特徴信号シーケンスは、ゼロ信号シーケンスを含み、ゼロ信号シーケンスにおける全ての信号は、ゼロである。
【００３１】
第７態様の第３の可能な実装方式において、特徴信号シーケンスは、ＰＰＤＵにおける、有用な情報を保持する最後のＯＦＤＭシンボルの一部のデータサブキャリアにより保持されるデータシンボルシーケンスのコピーである。
【００３２】
第７態様の第４の可能な実装方式において、特徴信号シーケンスは、ＰＰＤＵにおける、有用な情報を保持する最後から２番目のＯＦＤＭシンボルの対応位置におけるデータサブキャリアにより保持されるデータシンボルシーケンスのコピーである。
【００３３】
第７態様および第７態様の先述の可能な実装方式において、ＰＰＤＵは、信号拡張ＳＥフィールドをさらに含み、ＳＥフィールドは、有用な情報を保持する最後のＯＦＤＭシンボルの後ろに位置する。
【００３４】
第８態様によれば、本願発明の実施形態は、無線ローカルエリアネットワークに適用する、物理層プロトコルデータユニットＰＰＤＵを送信するための装置を提供し、該装置は、ＰＰＤＵを受信するよう構成される送受信ユニットであって、ＰＰＤＵにおける、有用な情報を保持する最後の直交周波数分割多重方式ＯＦＤＭシンボルの一部のデータサブキャリアは、データシンボルシーケンスを保持し、最後のＯＦＤＭシンボルの他のデータサブキャリアは、特徴信号シーケンスを保持する、送受信ユニットと、特徴信号シーケンスの開始位置を決定するべく、ＰＰＤＵをパースするよう構成される処理ユニットとを備える。
【００３５】
第８態様の第１の可能な実装方式において、特徴信号シーケンスは、受信側に知られているトレーニングシンボルシーケンスを含む。
【００３６】
第８態様の第２の可能な実装方式において、特徴信号シーケンスは、ゼロ信号シーケンスを含み、ゼロ信号シーケンスにおける全ての信号は、ゼロである。
【００３７】
第８態様の第３の可能な実装方式において、特徴信号シーケンスは、ＰＰＤＵにおける、有用な情報を保持する最後のＯＦＤＭシンボルの一部のデータサブキャリアにより保持されるデータシンボルシーケンスにコピーである。
【００３８】
第８態様の第４の可能な実装方式において、特徴信号シーケンスは、ＰＰＤＵにおける、有用な情報を保持する最後から２番目のＯＦＤＭシンボルの対応位置におけるデータサブキャリアにより保持されるデータシンボルシーケンスのコピーである。
【００３９】
第８態様および第８態様の先述の可能な実装方式において、ＰＰＤＵは、信号拡張ＳＥフィールドをさらに含み、ＳＥフィールドは、有用な情報を保持する最後のＯＦＤＭシンボルの後ろに位置する。
【００４０】
第９態様によれば、本願発明の実施形態は、無線ローカルエリアネットワークに適用する、物理層プロトコルデータユニットＰＰＤＵを送信するための装置を提供し、該装置は、ＰＰＤＵを生成するよう構成される処理ユニットであって、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置する、処理ユニットと、ＰＰＤＵを送信するよう構成される送受信ユニットとを備える。
【００４１】
第９態様の第１の可能な実装方式において、Ｎ＝Ｍである場合、インジケーション情報の値は、第１値であり、または、Ｎ≠Ｍである場合、インジケーション情報の値は、第２値であり、ここで、Ｎは、ＰＰＤＵに含まれるＯＦＤＭシンボルの数量であり、Ｍは、ＰＰＤＵにおける、受信側によりレガシーシグナリングフィールドＬ−ＳＩＧにおける長さフィールドを用いて計算されるＯＦＤＭシンボルの数量である。
【００４２】
第１０態様によれば、本願発明の実施形態は、無線ローカルエリアネットワークに適用する、物理層プロトコルデータユニットＰＰＤＵを送信するための装置を提供し、該装置は、ＰＰＤＵを受信するよう構成される送受信ユニットであって、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置する、送受信ユニットと、ＰＰＤＵの送信におけるＯＦＤＭシンボルの数量Ｍ１を取得するべく、ＰＰＤＵをパースするよう構成される処理ユニットとを備える。
【００４３】
第１０態様の第１の可能な実装方式において、ＰＰＤＵをパースする段階は、インジケーション情報の値が第１値である場合、Ｍ１の値を不変のままに保つ段階、または、インジケーション情報の値が第２値である場合、Ｍ１から１を減算する段階を含む。
【００４４】
第１１態様によれば、本願発明の実施形態は、無線ローカルエリアネットワークに適用する、物理層プロトコルデータユニットＰＰＤＵを送信するための装置を提供し、該装置は、ＰＰＤＵを生成するよう構成される処理ユニットであって、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置し、インジケーション情報は、ＳＥフィールドを含むＰＰＤＵの区間を示すために用いられる、処理ユニットと、ＰＰＤＵを送信するよう構成される送受信ユニットとを備える。
【００４５】
第１２態様によれば、本願発明の実施形態は、無線ローカルエリアネットワークに適用する、物理層プロトコルデータユニットＰＰＤＵを送信するための装置を提供し、該装置は、ＰＰＤＵを受信するよう構成される送受信ユニットであって、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置し、インジケーション情報は、ＳＥフィールドを含むＰＰＤＵの区間を示すために用いられる、送受信ユニットと、ＰＰＤＵの送信におけるＯＦＤＭシンボルの数量Ｍ２を取得するべく、ＰＰＤＵをパースするよう構成される処理ユニットとを備える。
【００４６】
第１２態様の第１の可能な実装方式において、ＰＰＤＵの送信におけるＯＦＤＭシンボルの数量Ｍ２を取得するべく、ＰＰＤＵをパースすることは、ＰＰＤＵの送信時間と、Ｍ２個のＯＦＤＭシンボルの区間との間の差がＳＥフィールドの区間より小さい場合、Ｍ２から１を減算すること、または、ＰＰＤＵの送信時間と、Ｍ２個のＯＦＤＭシンボルの区間との間の差がＳＥフィールドの区間より大きい、またはそれに等しい場合、Ｍ２の値を不変のままに保つことを含む。
【００４７】
本願発明の実施形態によれば、物理層プロトコルデータユニットＰＰＤＵの送信中、ＰＰＤＵにおける、有用な情報を保持する最後の直交周波数分割多重方式ＯＦＤＭシンボルの一部のデータサブキャリアは、データシンボルシーケンスを保持し、有用な情報を保持する最後のＯＦＤＭシンボルの他のデータサブキャリアは、特徴信号シーケンスを保持し、特徴信号シーケンスの開始位置は、ＰＰＤＵをパースすることにより決定される。本願発明の実施形態の適用は、受信側がブラインド検出を用いて特徴信号シーケンスの開始位置を迅速に決定することを可能にし、受信側がデータの処理および状態の切り替えを迅速に完了させることを保証する。
【図面の簡単な説明】
【００４８】
【図１】本願発明の実施形態に係る応用シナリオ図である。
【００４９】
【図２】本願発明の実施形態に係る物理層プロトコルデータユニットの構造図である。
【００５０】
【図３】本願発明の実施形態に係る物理層プロトコルデータユニットの部分構造図である。
【００５１】
【図４】本願発明の実施形態１に係るフローの相互作用図である。
【００５２】
【図５】本願発明の実施形態２に係るフローの相互作用図である。
【００５３】
【図６】本願発明の実施形態３に係るフローの相互作用図である。
【００５４】
【図７】本願発明の実施形態４に係る論理構造図である。
【００５５】
【図８】本願発明の実施形態５に係る論理構造図である。
【００５６】
【図９】本願発明の実施形態６に係る論理構造図である。
【００５７】
【図１０】本願発明の実施形態７に係る論理構造図である。
【００５８】
【図１１】本願発明の実施形態８に係る論理構造図である。
【００５９】
【図１２】本願発明の実施形態９に係る論理構造図である。
【００６０】
【図１３】本願発明の実施形態１０に係る物理構造図である。
【００６１】
【図１４】本願発明の実施形態１１に係る物理構造図である。
【００６２】
【図１５】本願発明の実施形態１２に係る物理構造図である。
【００６３】
【図１６】本願発明の実施形態１３に係る物理構造図である。
【００６４】
【図１７】本願発明の実施形態１４に係る物理構造図である。
【００６５】
【図１８】本願発明の実施形態１５に係る物理構造図である。
【００６６】
【図１９】本願発明に係るＳＥ構造インジケーションダイヤグラム１である。
【００６７】
【図２０】本願発明に係るＳＥ構造インジケーションダイヤグラム２である。
【００６８】
【図２１】本願発明に係るＳＥ構造インジケーションダイヤグラム３である。
【００６９】
【図２２】本願発明に係るＳＥ構造インジケーションダイヤグラム４である。
【００７０】
【図２３】本願発明に係るＳＥ構造インジケーションダイヤグラム５である。
【発明を実施するための形態】
【００７１】
本願発明の目的、技術的解決手段、および利点をより明確にするために、以下では、添付の図面に関連して、本願発明の実施形態についてさらに詳細に説明する。本願発明を総合的に理解するために、以下の詳細な説明は、多くの具体的な詳細を言及する。しかしながら、当業者は、本願発明はこれらの具体的な詳細なしで実装され得ることを理解するべきである。他の実施形態において、実施形態をあいまいにすることを防ぐように、周知の方法、プロセス、構成要素、および回路は、詳細に説明されない。明らかに、以下において説明される実施形態は、本願発明の実施形態の全てではなく、一部である。当業者により、創造的努力なしで、本願発明の実施形態に基づいて得られる全ての他の実施形態は、本願発明の保護範囲に含まれるものとする。
【００７２】
本願発明の実施形態は、ＷＬＡＮに適用してよい。ＷＬＡＮのために現に用いられている規格は、米国電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ、略してＩＥＥＥ）８０２．１１シリーズである。ＷＬＡＮは、複数の基本サービスセット（Ｂａｓｉｃ  Ｓｅｒｖｉｃｅ  Ｓｅｔ、略してＢＳＳ）を含んでよい。基本サービスセットのノードは、ステーションＳＴＡである。ステーションは、アクセスポイントステーション（Ａｃｃｅｓｓ  Ｐｏｉｎｔ  、略してＡＰ  ）、または、非アクセスポイントステーション（Ｎｏｎｅ  Ａｃｃｅｓｓ  Ｐｏｉｎｔ  Ｓｔａｔｉｏｎ、略してＮｏｎ−ＡＰ  ＳＴＡ）であってよい。各基本サービスセットは、一ＡＰ、および該ＡＰに関連付けられる複数の非ＡＰ  ＳＴＡを含んでよい。
【００７３】
アクセスポイントステーションは、無線アクセスポイント、ホットスポット、または同様のものとも称される。ＡＰは、モバイル加入者が有線ネットワークにアクセスするアクセスポイントであり、主に、家庭、ビルディング、およびキャンパスの内部に配置される。典型的なカバレッジ半径が、数十メートルから百メートルである。もちろん、ＡＰは、屋外に配置されてもよい。ＡＰは、有線ネットワークと無線ネットワークとを接続するブリッジと同様である。ＡＰの主な機能は、様々な無線ネットワークのクライアントを接続し、次に、無線ネットワークを有線ネットワークに接続することである。具体的には、ＡＰは、端末デバイス、または、ワイヤレスフィデリティ（Ｗｉｒｅｌｅｓｓ  Ｆｉｄｅｌｉｔｙ、略してＷｉＦｉ）チップを有するネットワークデバイスであってよい。任意で、ＡＰは、８０２．１１ａｘ規格をサポートするデバイスであってよい。さらに任意で、ＡＰは、８０２．１１ａｃ、８０２．１１ｎ、８０２．１１ｇ、８０２．１１ｂ、および８０２．１１aなどの複数のＷＬＡＮ規格をサポートするデバイスであってよい。
【００７４】
Ｎｏｎ−ＡＰ  ＳＴＡは、無線通信チップ、無線センサ、または、例えば、ＷｉＦｉ通信機能をサポートする携帯電話のような無線通信端末、ＷｉＦｉ通信機能をサポートするタブレットコンピュータ、ＷｉＦｉ通信機能をサポートするセットトップボックス、ＷｉＦｉ通信機能をサポートするスマートテレビ、ＷｉＦｉ通信機能をサポートするスマートウェアラブルデバイス、ＷｉＦｉ通信機能をサポートする車載通信デバイス、もしくは、ＷｉＦｉ通信機能をサポートするコンピュータであってよい。任意で、ステーションは、８０２．１１ａｘ規格をサポートしてよい。さらに任意で、ステーションは、８０２．１１ａｃ、８０２．１１ｎ、８０２．１１ｇ、８０２．１１ｂ、および８０２．１１aなどの複数のＷＬＡＮ規格をサポートしてよい。
【００７５】
ＯＦＤＭＡ技術が導入されるＷＬＡＮシステム８０２．１１aｘにおいて、ＡＰは、異なる時間−周波数リソースを用いることにより、異なるＳＴＡに対してアップリンクおよびダウンリンク送信を実行し得ることに留意するべきである。ＡＰは、例えば、ＯＦＤＭＡのシングルユーザ・マルチ入力・マルチ出力（Ｓｉｎｇｌｅ−Ｕｓｅｒ  Ｍｕｌｔｉｐｌｅ−Ｉｎｐｕｔ  Ｍｕｌｔｉｐｌｅ−Ｏｕｔｐｕｔ、略してＳＵ−ＭＩＭＯ）モード、または、ＯＦＤＭＡのマルチユーザ・マルチ入力・マルチ出力（Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ、略してＭＵ−ＭＩＭＯ）などの異なるモードにおいて、アップリンクおよびダウンリンク送信を実行できる。
【００７６】
図１は、本願発明の実施形態に係るの応用シナリオ図である。アクセスポイント２０は、複数のステーション（３０−１、３０−２、３０−３、および３０−４）との通信を行う。ＡＰ２０は、ネットワークインターフェース１６に連結されるホストプロセッサ１５を備える。ネットワークインターフェース１６は、メディアアクセス制御（ＭＡＣ）ユニット１７と、物理層（ＰＨＹ）ユニット１８とを含む。物理層（ＰＨＹ）ユニット１８は、複数の送受信機１９を含み、送受信機１９は、複数のアンテナ対に連結される。図１は３つの送受信機１９および３つのアンテナ１４を示しているが、別の実装方式において、ＡＰ１４は、異なる数量（例えば、１、２、４、または５）の送受信機１９およびアンテナ対を含んでよい。
【００７７】
ステーション３０−１は、ネットワークインターフェース２６に連結されるホストプロセッサ２５を含む。ネットワークインターフェース２６は、ＭＡＣユニット２７およびＰＨＹユニット２８を含む。ＰＨＹユニット２８は、複数の送受信機２９を含み、送受信機２９は、複数のアンテナに連結される。図１は３つの送受信機２９および３つのアンテナ２４を示しているが、別の実装方式において、クライアントステーション３０−１は、異なる数量（例えば、１、２、４、または５）の送受信機およびアンテナを含んでよい。この実装方式において、ステーション３０−２、ステーション３０−３、またはステーション３０−４のうちの１つまたは複数は、クライアントステーション３０−１の構造に類似またはそれと同じ構造を有するが、同じまたは異なる数量の送受信機およびアンテナを有してよい。例えば、レガシーステーション３０−４は、１つの送受信機および１つのアンテナのみを有する。
【００７８】
図２は、この実装方式に係る物理層プロトコルデータユニット（Ｐｈｙｓｉｃａｌ  Ｌａｙｅｒ  Ｐｒｏｔｏｃｏｌ  Ｄａｔａ  Ｕｎｉｔ、略してＰＰＤＵ）の構造図である。このデータユニットは、８０ＭＨｚの帯域幅を占める。別の実装方式において、データユニット１００は、例えば、２０ＭＨｚ、４０ＭＨｚ、１２０ＭＨｚ、１６０ＭＨｚ、または、任意の適した帯域幅などの異なる帯域幅を占めてよい。データユニット１００は、例えば、ＷＬＡＮ１０が、８０２．１１ａｘプロトコル以外のレガシープロトコルに適合するステーション（例えば、レガシーステーション３０−４）を含む環境などの「ハイブリッドモード」環境に適用する。データユニット１００は、別の環境において用いられてもよい。
【００７９】
図２のデータユニットは、可能な８０２．１１ａｘのデータユニットであることに留意するべきである。既存のＷＬＡＮ規格のデバイスとの互換性のために、８０２．１１ａｘデータフレームのヘッドは、Ｌｅｇａｃｙ  Ｐｒｅａｍｂｌｅ（中国語表記：レガシープリアンブル）フィールドを含み、Ｌ−ＳＴＦ（英語表記：Ｌｅｇａｃｙ  Ｓｈｏｒｔ  Ｔｒａｉｎｉｎｇ  Ｆｉｅｌｄ、中国語表記：レガシーショートトレーニングフィールド）、Ｌ−ＬＴＦ（英語表記：Ｌｅｇａｃｙ  Ｌｏｎｇ  Ｔｒａｉｎｉｎｇ  Ｆｉｅｌｄ、中国語表記：レガシーロングトレーニングフィールド）、およびＬ−ＳＩＧ（英語表記：Ｌｅｇａｃｙ  Ｓｉｇｎａｌｉｎｇ  Ｆｉｅｌｄ、中国語表記：レガシーシグナリングフィールド）を含む。レガシープリアンブルフィールドに続くのが、ＲＬ−ＳＩＧフィールド（英語表記：Ｒｅｐｅａｔｅｄ  Ｌｅｇａｃｙ  Ｓｉｇｎａｌｉｎｇ  Ｆｉｅｌｄ、中国語表記：反復レガシーシグナリングフィールド）、高効率シグナリングフィールドＡ（英語表記：Ｈｉｇｈ  Ｅｆｆｉｃｉｅｎｃｙ  Ｓｉｇｎａｌｉｎｇ  Ｆｉｅｌｄ  Ａ、略してＨＥ−ＳＩＧＡ）、および他の高効率プリアンブルフィールドＯｔｈｅｒ  ＨＥ  Ｐｒｅａｍｂｌｅである。該Ｏｔｈｅｒ  ＨＥ  Ｐｒｅａｍｂｌｅは、１つのフィールド、または複数のフィールドの組み合わせであり、特定のフィールドに限定されないことに留意するべきである。Ｏｔｈｅｒ  ＨＥ  Ｐｒｅａｍｂｌｅフィールドに続くのが、データフィールド（Ｄａｔａ）である。可能な将来のＷＬＡＮ規格において、規格の名称、フィールドの名称、または同様のものは、任意の他の名称に置き換えられてよく、それらは、本願発明の保護範囲に対して限定を課するものとみなされるべきではない。加えて、データフレームについての説明も、以下の実施形態に適用する。
【００８０】
［実施形態１］
本願発明の実施形態１は、ＷＬＡＮに適用するＰＰＤＵの送信方法を提供する。該方法は、例えば、図１のアクセスポイントおよびステーションなどのステーションに適用し得る。ステーションは、例えば、８０２．１１ａｘ規格などの次世代ＷＬＡＮ規格をサポートし得る。図４は、データ送信方法の相互作用図である。具体的な段階は、以下の通りである。
【００８１】
段階１：ＰＰＤＵを生成する段階であって、ＰＰＤＵにおける、有用な情報を保持する最後の直交周波数分割多重方式ＯＦＤＭシンボルの一部のデータサブキャリアは、データシンボルシーケンスを保持し、有用な情報を保持する最後のＯＦＤＭシンボルの他のデータサブキャリアは、特徴信号シーケンスを保持する、段階である。
【００８２】
任意で、ＰＰＤＵは、信号拡張ＳＥフィールドをさらに含み、ＳＥフィールドは、有用な情報を保持する最後のＯＦＤＭシンボルの後ろに位置する。
【００８３】
任意で、現在のＰＰＤＵがＳＥを含むかは、ＢＷ、ＭＣＳ、空間フローの数、符号化方式、および、現在のＨＥ−ＳＩＧにおいて示される同様のものに従って決定され得る。ＳＥが現在の送信において必要とされない場合、送信側は、特徴信号シーケンスを最後のＯＦＤＭシンボルに追加する必要がなく、受信側は、特徴信号シーケンスに対して検出を実行する必要がない。
【００８４】
図３は、ＰＰＤＵにおけるＤａｔａの部分構造図である。有用な情報を保持する最後のＯＦＤＭシンボルは、２つの部分を含む。第１部分におけるデータサブキャリアは、データシンボルシーケンスを保持し、この部分は、セグメントａ１と示される。第２部分におけるデータサブキャリアは、特徴信号シーケンスを保持し、この部分は、セグメントａ２と示される。
【００８５】
Ｓｉｇｎａｌ  ｅｘｔｅｎｓｉｏｎ（信号拡張）のセグメントは、有用な情報を保持する最後のＯＦＤＭシンボルの後ろに追加され、受信されたデータを処理するためのいくつかの追加の時間を受信側に提供することに留意するべきである。ＳＥの長さは、複数の値を有し、０μｓ、４μｓ、８μｓ、１２μｓ、または１６μｓであってよい。
【００８６】
例えば、有用な情報を保持する最後のＯＦＤＭシンボルに対するセグメントａ１の比が、０．５より小さい場合、または、低ＭＣＳもしくは非常に少数の空間フローが、ＰＰＤＵの送信のために用いられる場合、従来のＳＩＦＳ時間は、受信側がデータの処理および状態の切り替えを完了するのに十分である。
【００８７】
例えば、有用な情報を保持する最後のＯＦＤＭシンボルに対するセグメントａ１の比が、０．５より大きい場合、または、高ＭＣＳもしくは比較的多数の空間フローがＰＰＤＵの送信のために用いられる場合、従来のＳＩＦＳ時間は、受信側がデータの処理および状態の切り替えを完了させるのに不十分であり、ＳＥフィールドの追加が必要である。
【００８８】
段階２：ＰＰＤＵを送信する段階である。
【００８９】
段階３：ＰＰＤＵを受信する段階である。
【００９０】
段階４：特徴信号シーケンスの開始位置を決定するべく、ＰＰＤＵをパースする段階である。
【００９１】
有用な情報を保持する最後のＯＦＤＭシンボルにおいて、第２部分は、特徴信号シーケンスであり、符号化または復号に加わらないことに留意するべきである。従って、特徴信号シーケンスの開始位置を決定した後、受信側は、この部分におけるサブキャリアに対して復号を実行せず、それにより、データ処理のために必要とされる時間を減少させる。
【００９２】
具体的には、特徴信号シーケンスは、少なくとも４つの方式を含む。
【００９３】
方式１：特徴信号シーケンスは、受信側に知られているトレーニングシンボルシーケンスである。
【００９４】
トレーニングシンボルシーケンスは、受信側および送信側に知られており、疑似ランダム２進シーケンスＰＲＢＳ、ＬＴＦシーケンス、またはＳＴＦシーケンスを含むが、それらに限定されないことに留意するべきである。比較的短いトレーニングシンボルシーケンスは、セグメントａ２に繰り返して充填するために用いられる、または、比較的長いトレーニングシンボルシーケンスは、セグメントａ２に直接充填するように生成されてよい。受信側は、有用な情報を保持する最後のＯＦＤＭシンボルの異なるセグメントに対して相関性演算を実行し、該演算の後に取得される相関性値を事前設定閾値と比較し、相関性値が閾値より大きい場合、相関性が検出されたとみなし、すなわち、特徴信号シーケンスの開始を決定する。
【００９５】
方式２：特徴信号シーケンスは、ゼロ信号シーケンスを含み、ゼロ信号シーケンスにおける全ての信号は、ゼロである。
【００９６】
ゼロ信号シーケンスは、セグメントａ２に位置し、送信側は、セグメントａ１の電力を増幅することに留意するべきである。受信側は、有用な情報を保持する最後のＯＦＤＭシンボルの各セグメントに対して、エネルギ計算を実行し、該計算の後に取得されるエネルギ値を事前設定閾値と比較し、エネルギ値が閾値より小さい場合、セグメントが空であるとみなし、すなわち、特徴信号シーケンスの開始を決定する。
【００９７】
方式３：特徴信号シーケンスは、ＰＰＤＵにおける、有用な情報を保持する最後のＯＦＤＭシンボルの一部のデータサブキャリアにより保持されるデータシンボルシーケンスのコピーである。
【００９８】
セグメントａ２の内容は、セグメントａ１におけるデータの一部または全てであることに留意するべきである。受信側は、シンボルにおけるセグメントに対して相関性演算を実行し、該演算の後に取得される相関性値を事前設定閾値と比較し、相関性値が閾値より大きい場合、相関性が検出されたとみなし、すなわち、特徴信号シーケンスの開始を決定する。
【００９９】
方式４：特徴信号シーケンスは、ＰＰＤＵにおける、有用な情報を保持する最後から２番目のＯＦＤＭシンボルの対応位置におけるデータサブキャリアにより保持されるデータシンボルシーケンスのコピーである。
【０１００】
有用な情報を保持する最後から２番目のＯＦＤＭシンボルに対応する、セグメントａ２のデータは、セグメントａ２において繰り返されることに留意するべきである。受信側は、シンボルの各セグメントおよび以前のＯＦＤＭシンボルの対応セグメントに対して相関性演算を実行し、該演算の後に取得される相関性値を事前設定閾値と比較し、相関性値が閾値より大きい場合、相関性が検出されたとみなし、すなわち、特徴信号シーケンスの開始を決定する。
【０１０１】
任意で、別の実施形態において、マルチユーザ送信（ＯＦＤＭＡ、またはＭＵ−ＭＩＭＯ）に対して、異なるユーザのデータは、整合されない場合がある。すなわち、一部のユーザは、より大きいデータ量を有し、従って、より多くのＯＦＤＭシンボルを有し、他方、一部のユーザは、より小さいデータ量を有し、従って、より少ないＯＦＤＭシンボルを有する。
【０１０２】
１．マルチユーザ送信の場合、各ユーザの送信において必要とされるＯＦＤＭシンボルの数量が計算され、最も大きい数量は、Ｎとする。
【０１０３】
２．シンボルの数量がＮより少ないユーザに対して、該数量は、ＯＦＤＭシンボルを追加することにより、Ｎと整合する必要がある。従って、追加されたＯＦＤＭシンボルに対して、以前のシンボルが繰り返されてよく、または、相関性が良い特定のシーケンスを保持するＯＦＤＭシンボルが、用いられてよい。このことは限定されない。
【０１０４】
このため、特殊のシンボルの追加方式が、より小さいデータ量を有するユーザのために用いられてよく、これにより、受信側は、有用なデータを保持するＯＦＤＭシンボルの終了位置を決定し、エネルギを節約するように事前に受信を停止する。
【０１０５】
任意で、別の実施形態において、各受信ノードの終了位置が、明示的な方式で示されてよい。受信側および送信側の具体的な設計は、以下の通りである。
【０１０６】
送信側：マルチユーザ送信の場合、各ユーザの送信において必要とされるＯＦＤＭシンボルの数量が計算され、最も大きい数量は、Ｎとする。ＨＥ−ＳＩＧＢにおいて、各ユーザに対する明示的なインジケーションが存在する。インジケーションは、２つの部分を含む。第１部分のインジケーションは、現在のユーザのシンボルの数量がＮに等しいかを示す（例えば、１ビットで示される）。数量がＮに等しい場合、第２部分のインジケーションは、ユーザが最後のシンボルにおいて復号を停止する位置を示す（例えば、最後のＯＦＤＭシンボルが、４つのセグメントに分割され、復号が停止された位置は、２ビットで示される必要がある）。数量がＮに等しくない場合、第２部分のインジケーションは、ユーザが有する追加されるＯＦＤＭシンボルの数量を示し、これにより、受信側は、事前に該位置において復号を停止し、シンボルの合計数量がＮと整合される。
【０１０７】
受信側：ＨＥ−ＳＩＧＢにおけるインジケーションが読み出される。第１部分のインジケーションが「真」である場合、受信側は、そのＯＦＤＭシンボルの数量がＮに等しいと決定する。次に、第２部分のインジケーションは、受信側が、有用な情報を保持する最後のＯＦＤＭシンボルにおいて復号を停止する位置を示す。例えば、００は、復号が最後のシンボルの１／４において停止されることを示し、０１は、復号が最後のシンボルの１／２において停止されることを示す、などである。第１部分のインジケーションが「偽」であると受信側が発見した場合、受信側は、そのＯＦＤＭシンボルの数量がＮに等しくないと決定する。次に、第２部分のインジケーションは、受信側の追加されるＯＦＤＭシンボルの数量を示す。例えば、００は、ｘ１個のＯＦＤＭシンボルが追加されることを示し、０１は、ｘ２個のＯＦＤＭシンボルが追加されることを示す、などである。
【０１０８】
第１部分のインジケーションは、現在のユーザのシンボルの数量がＮに等しいかを示し得る、または、現在のユーザのシンボルの数量がＮ−ｎより大きいかを示し得ることに留意するべきである。このことは限定されない。現在のユーザのシンボルの数量がＮ−ｎより大きいかを第１部分のインジケーションが示した場合、第１部分のインジケーションが「偽」であるとき、第２部分のインジケーションにおいて、００は、（ｘ１＋ｎ）個のＯＦＤＭシンボルが追加されることを示し、０１は、（ｘ２＋ｎ）個のＯＦＤＭシンボルが追加されることを示す。
【０１０９】
本願発明のこの実施形態によれば、物理層プロトコルデータユニットＰＰＤＵの送信中、ＰＰＤＵにおける、有用な情報を保持する最後の直交周波数分割多重方式ＯＦＤＭシンボルの一部のデータサブキャリアは、データシンボルシーケンスを保持し、有用な情報を保持する最後のＯＦＤＭシンボルの他のデータサブキャリアは、特徴信号シーケンスを保持し、特徴信号シーケンスの開始位置は、ＰＰＤＵをパースすることにより決定される。本願発明のこの実施形態の適用は、受信側がブラインド検出を用いて特徴信号シーケンスの開始位置を迅速に決定することを可能にし、受信側がデータの処理および状態の切り替えを迅速に完了させることを保証する。
【０１１０】
［実施形態２］
本願発明の実施形態２は、ＷＬＡＮに適用するＰＰＤＵの送信方法を提供する。該方法は、例えば、図１のアクセスポイントおよびステーションのようなステーションに適用し得る。ステーションは、例えば、８０２．１１ａｘ規格などの次世代ＷＬＡＮ規格をサポートし得る。図５は、データ送信方法の相互作用図である。具体的な段階は、以下の通りです。
【０１１１】
段階１：ＰＰＤＵを生成する段階であり、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置する、段階である。
【０１１２】
任意で、現在のＰＰＤＵがＳＥを含むかは、ＢＷ、ＭＣＳ、空間フローの数、符号化方式、および、現在のＨＥ−ＳＩＧにおいて示される同様のものに従って、決定され得る。ＳＥが現在の送信において必要とされない場合、送信側は、ＳＥ関連のインジケーションをＨＥ−ＳＩＧ内に置く必要がなく、受信側は、別のルールに従って、ＨＥ−ＳＩＧに対応するフィールドを読み出す。
【０１１３】
任意で、Ｎ＝Ｍである場合、インジケーション情報の値は、第１値であり、Ｎ≠Ｍである場合、インジケーション情報の値は、第２値である。Ｎは、ＰＰＤＵに含まれるＯＦＤＭシンボルの数量を表し、Ｍは、ＰＰＤＵにおける、受信側によりレガシーシグナリングフィールドＬ−ＳＩＧにおける長さフィールドを用いることにより計算されるＯＦＤＭシンボルの数量を表す。
【０１１４】
具体的には、Ｎを計算する数式が以下の通りである。
【数１】
2020039156.tif 000003
ここで、Ａ＿ＭＰＤＵ＿ＬＥＮＧＴＨは、ＭＡＣ層データの長さであり、ＮＤＢＰＳは、各ＯＦＤＭシンボルにおいて保持されるデータビットであり、時空符号化が用いられる場合、ｍＳＴＢＣ＝２であり、または、他の場合は、ｍＳＴＢＣ＝１であり、ＢＣＣ符号化が用いられる場合、ＮＴａｉｌ＝６×エンコーダの数量であり、または、ＬＤＰＣ符号化が用いられる場合は、ＮＴａｉｌ＝０である。
【０１１５】
送信側がＬＤＰＣ符号化を用いる場合、Ｎの値は、符号化パラメータに従って、更新される必要がある。
【０１１６】
具体的には、Ｍを計算する数式は、以下の通りである。
【数２】
2020039156.tif 000004
ここで、
【数３】
2020039156.tif 000005
Ｌ−ｌｅｎｇｔｈは、送信側のＬ−ｐｒｅａｍｂｌｅにおける長さインジケーションを表し、ＴＬ−ＰＲＥＡＭＢＬＥは、Ｌ−ｐｒｅａｍｂｌｅの送信時間を表し、ＴＨＥ−ＰＲＥＡＭＢＬＥは、ＨＥ−ｐｒｅａｍｂｌｅの送信時間を表す。
【０１１７】
段階２：ＰＰＤＵを送信する段階である。
【０１１８】
段階３：ＰＰＤＵを受信する段階である。
【０１１９】
段階４：ＰＰＤＵの送信におけるＯＦＤＭシンボルの数量Ｍ１を取得するべく、ＰＰＤＵをパースする段階である。
【０１２０】
任意で、インジケーション情報の値が第１値である場合、Ｍ１の値は、不変であり、インジケーション情報の値が第２値である場合、Ｍ１から１を減算する。
【０１２１】
本願発明のこの実施形態によれば、物理層プロトコルデータユニットＰＰＤＵの送信中、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置する。本願発明のこの実施形態の適用は、受信側が特徴信号シーケンスの開始位置を決定することを可能にし、受信側がデータの処理および状態の切り替えを迅速に完了させることを保証する。
【０１２２】
［実施形態３］
本願発明の実施形態３は、ＷＬＡＮに適用するＰＰＤＵの送信方法を提供する。該方法は、例えば、図１のアクセスポイントおよびステーションのようなステーションに適用し得る。ステーションは、例えば、８０２．１１ａｘ規格などの次世代ＷＬＡＮ規格をサポートし得る。図６は、データ送信方法の相互作用図である。具体的な段階は、以下の通りである。
【０１２３】
段階１：ＰＰＤＵを生成する段階であり、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルに後ろに位置し、インジケーション情報は、ＳＥフィールドを含むＰＰＤＵの区間ＴＳＥを示すために用いられる、段階である。
【０１２４】
任意で、現在のＰＰＤＵがＳＥを含むかは、ＢＷ，ＭＣＳ、空間フローの数、符号化方式、および、現在のＨＥ−ＳＩＧにおいて示される同様のものに従って、決定され得る。ＳＥが現在の送信において必要とされない場合、送信側は、ＳＥ関連のインジケーションをＨＥ−ＳＩＧ内に置く必要がなく、受信側は、別のルールに従って、ＨＥ−ＳＩＧに対応するフィールドを読み出す。
【０１２５】
段階２：ＰＰＤＵを送信する段階である。
【０１２６】
段階３：ＰＰＤＵを受信する段階である。
【０１２７】
段階４：ＰＰＤＵの送信におけるＯＦＤＭシンボルの数量Ｍ２を取得するべく、ＰＰＤＵをパースする段階である。
【０１２８】
任意で、ＰＰＤＵの送信時間とＭ２個のＯＦＤＭシンボルの区間との間の差がＳＥフィールドの区間より小さい場合、Ｍ２から１を減算する。
【０１２９】
具体的には、
【数４】
2020039156.tif 000006
上記数式の場合、Ｍ２から１を減算する。
【０１３０】
ＰＰＤＵの送信時間と、Ｍ２個のＯＦＤＭシンボルの区間との間の差がＳＥフィールドの区間より大きい、またはそれに等しい場合、Ｍ２の値は、不変である。
【０１３１】
【数５】
2020039156.tif 000007
上記数式の場合、Ｍ２は、不変である。
【０１３２】
本願発明のこの実施形態によれば、物理層プロトコルデータユニットＰＰＤＵの送信中、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置し、インジケーション情報は、ＳＥフィールドを含むＰＰＤＵの区間を示すために用いられる。本願発明のこの実施形態の適用は、受信側が特徴信号シーケンスの開始位置を決定することを可能にし、受信側がデータの処理および状態の切り替えを迅速に完了させることを保証する。
【０１３３】
［実施形態４］
それに対応して、図７は、本願発明の実施形態４に係る、無線ローカルエリアネットワークにおけるＰＰＤＵの送信装置の概略ブロック図である。データ伝送装置は、例えば、ステーション、または、関連機能を実装する専用回路もしくはチップである。図７に示されるＰＰＤＵの送信装置７００は、処理ユニット７０１および送受信ユニット７０２を備える。例えば、装置７００は、図１に示されているＡＰまたはステーションであってよい。実施形態４のステーションは、送信側として動作する。
【０１３４】
処理ユニット７０１は、ＰＰＤＵを生成するよう構成され、ここで、ＰＰＤＵにおける、有用な情報を保持する最後の直交周波数分割多重方式ＯＦＤＭシンボルの一部のデータサブキャリアは、データシンボルシーケンスを保持し、有用な情報を保持する最後のＯＦＤＭシンボルの他のデータサブキャリアは、特徴信号シーケンスを保持する。
【０１３５】
送受信ユニット７０２は、ＰＰＤＵを送信するよう構成される。
【０１３６】
任意で、特徴信号シーケンスは、受信側に知られているトレーニングシンボルシーケンスを備える。
【０１３７】
任意で、特徴信号シーケンスは、ゼロ信号シーケンスを含み、ゼロ信号シーケンスにおける全ての信号は、ゼロである。
【０１３８】
任意で、特徴信号シーケンスは、ＰＰＤＵにおける、有用な情報を保持する最後のＯＦＤＭシンボルの一部のデータサブキャリアにより保持されるデータシンボルシーケンスのコピーである。
【０１３９】
任意で、特徴信号シーケンスは、ＰＰＤＵにおける、有用な情報を保持する最後から２番目のＯＦＤＭシンボルの対応位置におけるデータサブキャリアにより保持されるデータシンボルシーケンスのコピーである。
【０１４０】
任意で、ＰＰＤＵは、信号拡張ＳＥフィールドをさらに含み、ＳＥフィールドは、有用な情報を保持する最後のＯＦＤＭシンボルの後ろに位置する。
【０１４１】
本願発明のこの実施形態によれば、物理層プロトコルデータユニットＰＰＤＵの送信中、ＰＰＤＵにおける、有用な情報を保持する最後の直交周波数分割多重方式ＯＦＤＭシンボルの一部のデータサブキャリアは、データシンボルシーケンスを保持し、有用な情報を保持する最後ＯＦＤＭシンボルの他のデータサブキャリアは、特徴信号シーケンスを保持し、特徴信号シーケンスの開始位置は、ＰＰＤＵをパースすることにより決定される。本願発明のこの実施形態の適用は、受信側がブラインド検出を用いて特徴信号シーケンスの開始位置を迅速に決定することを可能にし、受信側がデータの処理および状態の切り替えを迅速に完了させることを保証する。
【０１４２】
［実施形態５］
それに対応して、図８は、本願発明の実施形態５に係る、無線ローカルエリアネットワークにおけるＰＰＤＵの送信装置の概略ブロック図である。データ伝送装置は、例えば、ステーション、または、関連機能を実装する専用回路もしくはチップである。図８に示されるＰＰＤＵの送信装置８００は、処理ユニット８０１および送受信ユニット８０２を備える。例えば、装置８００は、図１に示されているＡＰまたはステーションであってよい。実施形態５のステーションは、受信側として動作する。
【０１４３】
送受信ユニット８０２は、ＰＰＤＵを受信するよう構成され、ここで、ＰＰＤＵにおける、有用な情報を保持する最後の直交周波数分割多重方式ＯＦＤＭシンボルの一部のデータサブキャリアは、データシンボルシーケンスを保持し、最後のＯＦＤＭシンボルの他のデータサブキャリアは、特徴信号シーケンスを保持する。
【０１４４】
処理ユニット８０１は、特徴信号シーケンスの開始位置を決定するべく、ＰＰＤＵをパースするよう構成される。
【０１４５】
任意で、特徴信号シーケンスは、受信側に知られているトレーニングシンボルシーケンスを含む。
【０１４６】
任意で、特徴信号シーケンスは、ゼロ信号シーケンスを含み、ゼロ信号シーケンスにおける全ての信号は、ゼロである。
【０１４７】
任意で、特徴信号シーケンスは、ＰＰＤＵにおける、有用な情報を保持する最後のＯＦＤＭシンボルの一部のデータサブキャリアにより保持されるデータシンボルシーケンスのコピーである。
【０１４８】
任意で、特徴信号シーケンスは、ＰＰＤＵにおける、有用な情報を保持する最後から２番目のＯＦＤＭシンボルの対応位置におけるデータサブキャリアにより保持されるデータシンボルシーケンスのコピーである。
【０１４９】
任意で、ＰＰＤＵは、信号拡張ＳＥフィールドをさらに含み、ＳＥフィールドは、有用な情報を保持する最後のＯＦＤＭシンボルの後ろに位置する。
【０１５０】
本願発明のこの実施形態によれば、物理層プロトコルデータユニットＰＰＤＵの送信中、ＰＰＤＵにおける、有用な情報を保持する最後の直交周波数分割多重方式ＯＦＤＭシンボルの一部のデータサブキャリアは、データシンボルシーケンスを保持し、有用な情報を保持する最後のＯＦＤＭシンボルの他のデータサブキャリアは、特徴信号シーケンスを保持し、特徴信号シーケンスの開始位置は、ＰＰＤＵをパースすることにより決定される。本願発明のこの実施形態の適用は、受信側がブラインド検出を用いて特徴信号シーケンスの開始位置を迅速に決定することを可能にし、受信側がデータの処理および状態の切り替えを迅速に完了させることを保証する。
【０１５１】
［実施形態６］
それに対応して、図９は、本願発明の実施形態６に係る、無線ローカルエリアネットワークにおけるＰＰＤＵの送信装置の概略ブロック図である。データ伝送装置は、例えば、ステーション、または、関連機能を実装する専用回路もしくはチップである。図９に示されるＰＰＤＵの送信装置９００は、処理ユニット９０１および送受信ユニット９０２を備える。例えば、装置９００は、図１に示されているＡＰまたはステーションであってよい。実施形態６のステーションは、送信側として動作する。
【０１５２】
処理ユニット９０１は、ＰＰＤＵを生成するよう構成され、ここで、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置する。
【０１５３】
送受信ユニット９０２は、ＰＰＤＵを送信するよう構成される。
【０１５４】
任意で、Ｎ＝Ｍである場合、インジケーション情報の値は、第１値であり、Ｎ≠Ｍである場合、インジケーション情報の値は、第２値である。Ｎは、ＰＰＤＵに含まれるＯＦＤＭシンボルの数量を表し、Ｍは、ＰＰＤＵにおける、受信側によりレガシーシグナリングフィールドＬ−ＳＩＧにおける長さフィールドを用いて計算されるＯＦＤＭシンボルの数量を表す。
【０１５５】
本願発明のこの実施形態によれば、物理層プロトコルデータユニットＰＰＤＵの送信中、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置し、インジケーション情報は、ＳＥフィールドを含むＰＰＤＵの区間を示すために用いられる。本願発明のこの実施形態の適用は、受信側が特徴信号シーケンスの開始位置を決定することを可能にし、受信側がデータの処理および状態の切り替えを迅速に完了させることを保証する。
【０１５６】
［実施形態７］
それに対応して、図１０は、本願発明の実施形態７に係る、無線ローカルエリアネットワークにおけるＰＰＤＵの送信装置の概略ブロック図である。データ伝送装置は、例えば、ステーション、または、関連機能を実装する専用回路もしくはチップである。図１０に示されるＰＰＤＵの送信装置１０００は、処理ユニット１００１および送受信ユニット１００２を備える。例えば、装置１０００は、図１に示されているＡＰまたはステーションであってよい。実施形態７のステーションは、受信側として動作する。
【０１５７】
送受信ユニット１００２は、ＰＰＤＵを受信するよう構成され、ここで、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置する。
【０１５８】
処理ユニット１００１は、ＰＰＤＵの送信におけるＯＦＤＭシンボルの数量Ｍ１を取得するべく、ＰＰＤＵをパースするよう構成される。
【０１５９】
任意で、ＰＰＤＵをパースすることは、インジケーション情報の値が第１値である場合、Ｍ１の値を不変のままに保ち、インジケーション情報の値が第２値である場合、Ｍ１から１を減算することを含む。
【０１６０】
本願発明のこの実施形態によれば、物理層プロトコルデータユニットＰＰＤＵの送信中、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置し、インジケーション情報は、ＳＥフィールドを含むＰＰＤＵの区間を示すために用いられる。本願発明のこの実施形態の適用は、受信側が特徴信号シーケンスの開始位置を決定することを可能にし、受信側がデータの処理および状態の切り替えを迅速に完了させることを保証する。
【０１６１】
［実施形態８］
それに対応して、図１１は、本願発明の実施形態８に係る、無線ローカルエリアネットワークにおけるＰＰＤＵの送信装置の概略ブロック図である。データ伝送装置は、例えば、ステーション、または、関連機能を実装する専用回路もしくはチップである。図１１に示されるＰＰＤＵの送信装置１１００は、処理ユニット１１０１および送受信ユニット１１０２を備える。例えば、装置１１００は、図１に示されているＡＰまたはステーションであってよい。実施形態８のステーションは、送信側として動作する。
【０１６２】
処理ユニット１１０１は、ＰＰＤＵを生成するよう構成され、ここで、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置し、インジケーション情報は、ＳＥフィールドを含むＰＰＤＵの区間を示すために用いられる。
【０１６３】
送受信ユニット１１０２は、ＰＰＤＵを送信するよう構成される。
【０１６４】
本願発明のこの実施形態によれば、物理層プロトコルデータユニットＰＰＤＵの送信中、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置し、インジケーション情報は、ＳＥフィールドを含むＰＰＤＵの区間を示すために用いられる。本願発明のこの実施形態の適用は、受信側が特徴信号シーケンスの開始位置を決定することを可能にし、受信側がデータの処理および状態の切り替えを迅速に完了させることを保証する。
【０１６５】
［実施形態９］
それに対応して、図１２は、本願発明の実施形態９に係る、無線ローカルエリアネットワークにおけるＰＰＤＵの送信装置の概略ブロック図である。データ伝送装置は、例えば、ステーション、または、関連機能を実装する専用回路もしくはチップである。図１２に示されるＰＰＤＵの送信装置１２００は、処理ユニット１２０１および送受信ユニット１２０２を備える。例えば、装置１２００は、図１に示されているＡＰまたはステーションであってよい。実施形態９のステーションは、受信側として動作する。
【０１６６】
送受信ユニット１２０２は、ＰＰＤＵを受信するよう構成され、ここで、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置し、インジケーション情報は、ＳＥフィールドを含むＰＰＤＵの区間を示すために用いられる。
【０１６７】
処理ユニット１２０１は、ＰＰＤＵの送信におけるＯＦＤＭシンボルの数量Ｍ２を取得するべく、ＰＰＤＵをパースするよう構成される。
【０１６８】
任意で、ＰＰＤＵの送信におけるＯＦＤＭシンボルの数量Ｍ２を取得するべく、ＰＰＤＵをパースすることは、ＰＰＤＵの送信時間と、Ｍ２個のＯＦＤＭシンボルの区間との間の差がＳＥフィールドの区間より小さい場合、Ｍ２から１を減算し、ＰＰＤＵの送信時間と、Ｍ２個のＯＦＤＭシンボルの区間との間の差がＳＥフィールドの区間より大きい、またはそれに等しい場合、Ｍ２の値を不変のままに保つことを含む。
【０１６９】
本願発明のこの実施形態によれば、物理層プロトコルデータユニットＰＰＤＵの送信中、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置し、インジケーション情報は、ＳＥフィールドを含むＰＰＤＵの区間を示すために用いられる。本願発明のこの実施形態の適用は、受信側が特徴信号シーケンスの開始位置を決定することを可能にし、受信側がデータの処理および状態の切り替えを迅速に完了させることを保証する。
【０１７０】
［実施形態１０］
図１３は、本願発明の実施形態１０に係る送信ステーションのブロック図である。図１３における送信ポイントは、インターフェース１０１と、処理ユニット１０２と、メモリ１０３とを備える。処理ユニット１０２は、送信ステーション１００の動作を制御する。メモリ１０３は、リードオンリメモリおよびランダムアクセスメモリを含んでよく、処理ユニット１０２に対して命令およびデータを提供する。メモリ１０３の一部はまた、不揮発性ランダムアクセスメモリ（ＮＶＲＡＭ）を含んでよい。送信ステーション１００の構成要素は、バスシステム１０９を用いることにより、互いに連結される。バスシステム１０９は、データバスを含むだけではなく、電力バス、制御バス、およびステータス信号バスも含む。しかしながら、明確な説明のため、図面における各バスは、バスシステム１０９と示される。
【０１７１】
本発明の先述の実施形態に開示されている、先述の様々なフレームを送信するための方法は、処理ユニット１０２に適用してよく、または、処理ユニット１０２により実装されてよい。実装プロセスにおいて、先述の方法の段階は、処理ユニット１０２におけるハードウェアの集積論理回路を用いることにより、または、ソフトウェア形態の命令を用いることにより、完了され得る。処理ユニット１０２は、汎用プロセッサ、デジタル信号プロセッサ、特定用途向け集積回路、フィールドプログラマブルゲートアレイ、または、別のプログラマブルロジックデバイス、個別のゲートもしくはトランジスタロジックデバイス、あるいは、個別のハードウェア構成要素であってよく、本願発明の実施形態において開示されている各方法、段階、および論理ブロック図を実装または実行できる。汎用プロセッサは、マイクロプロセッサ、または任意の従来のプロセッサ、もしくは同様のものであってよい。本願発明の実施形態に関連して開示されている方法の段階は、ハードウェアプロセッサにより直接実行されてよく、または、プロセッサにおけるハードウェアとソフトウェアモジュールとの組み合わせを用いることにより、実行されてよい。ソフトウェアモジュールは、ランダムアクセスメモリ、フラッシュメモリ、リードオンリメモリ、プログラマブルリードオンリメモリ、電気的に消去可能なプログラマブルメモリ、レジスタ、または同様のものなどの、当分野の成熟した記憶媒体に位置してよい。記憶媒体は、メモリ１０３に位置し、処理ユニット１０２は、メモリ１０３における情報を読み出し、処理ユニットのハードウェアと組み合わせて先述の方法の段階を完了させる。
【０１７２】
［実施形態１１］
図１４は、本願発明の実施形態１１に係る受信ステーションのブロック図である。図１４における受信ステーションは、インターフェース１１１と、処理ユニット１１２と、メモリ１１３とを備える。処理ユニット１１２は、受信ステーション１１０の動作を制御する。メモリ１１３は、リードオンリメモリおよびランダムアクセスメモリを含んでよく、処理ユニット１１２に対して命令およびデータを提供する。メモリ１１３の一部はまた、不揮発性ランダムアクセスメモリ（ＮＶＲＡＭ）を含んでよい。受信ステーション１１０の構成要素は、バスシステム１１９を用いることにより、互いに連結される。バスシステム１１９は、データバスを含むだけではなく、電力バス、制御バス、およびステータス信号バスも含む。しかしながら、明確な説明のため、図面における各バスは、バスシステム１１９と示される。
【０１７３】
本発明の先述の実施形態において開示されている、先述の様々なフレームを受信するための方法は、処理ユニット１１２に適用してよく、または、処理ユニット１１２により実装されてよい。実装プロセスにおいて、先述の方法の段階は、処理ユニット１１２におけるハードウェアの集積論理回路を用いることにより、または、ソフトウェア形態の命令を用いることにより、完了されてよい。処理ユニット１１２は、汎用プロセッサ、デジタル信号プロセッサ、特定用途向け集積回路、フィールドプログラマブルゲートアレイ、または、別のプログラマブルロジックデバイス、個別のゲートもしくはトランジスタロジックデバイス、あるいは、個別のハードウェア構成要素であってよく、本願発明の実施形態において開示されている各方法、段階、および論理ブロック図を実装または実行できる。汎用プロセッサは、マイクロプロセッサ、または任意の従来のプロセッサ、もしくは、同様のものであってよい。本願発明の実施形態に関連して開示されている方法の段階は、ハードウェアプロセッサにより直接実行されてよく、または、プロセッサにおけるハードウェアとソフトウェアモジュールとの組み合わせを用いることにより、実行されてよい。ソフトウェアモジュールは、ランダムアクセスメモリ、フラッシュメモリ、リードオンリメモリ、プログラマブルリードオンリメモリ、電気的に消去可能なプログラマブルメモリ、レジスタ、または同様のものなどの、当分野の成熟した記憶媒体に位置してよい。記憶媒体は、メモリ１１３に位置し、処理ユニット１１２は、メモリ１１３における情報を読み出し、処理ユニットのハードウェアと組み合わせて先述の方法の段階を完了させる。
【０１７４】
［実施形態１２］
図１５は、本願発明の実施形態１２に係る送信ステーションのブロック図である。図１５における送信ポイントは、インターフェース１２１と、処理ユニット１２２と、メモリ１２３とを備える。処理ユニット１２２は、送信ステーション１２０の動作を制御する。メモリ１２３は、リードオンリメモリおよびランダムアクセスメモリを含んでよく、処理ユニット１２２に対して命令およびデータを提供する。メモリ１２３の一部はまた、不揮発性ランダムアクセスメモリ（ＮＶＲＡＭ）を含んでよい。送信ステーション１２０の構成要素は、バスシステム１２９を用いることにより互いに連結される。バスシステム１２９は、データバスを含むだけではなく、電力バス、制御バス、およびステータス信号バスも含む。しかしながら、明確な説明のため、図面における各バスは、バスシステム１２９と示される。
【０１７５】
本発明の先述の実施形態において開示されている、先述の様々なフレームを送信するための方法は、処理ユニット１２２に適用してよく、または、処理ユニット１２２により実装されてよい。実装プロセスにおいて、先述の方法の段階は、処理ユニット１２２におけるハードウェアの集積論理回路を用いることにより、または、ソフトウェア形態の命令を用いることにより、完了されてよい。処理ユニット１２２は、汎用プロセッサ、デジタル信号プロセッサ、特定用途向け集積回路、フィールドプログラマブルゲートアレイ、または、別のプログラマブルロジックデバイス、個別のゲートもしくはトランジスタロジックデバイス、あるいは、個別のハードウェア構成要素であってよく、本願発明の実施形態において開示されている各方法、段階、および論理ブロック図を実行または実行できる。汎用プロセッサは、マイクロプロセッサ、または任意の従来のプロセッサ、もしくは同様のものであってよい。本願発明の実施形態に関連して開示されている方法の段階は、ハードウェアプロセッサにより直接実行されてよく、または、プロセッサにおけるハードウェアとソフトウェアモジュールとの組み合わせを用いることにより、実行されてよい。ソフトウェアモジュールは、ランダムアクセスメモリ、フラッシュメモリ、リードオンリメモリ、プログラマブルリードオンリメモリ、電気的に消去可能なプログラマブルメモリ、レジスタ、または同様のものなどの、当分野における成熟した記憶媒体に位置してよい。記憶媒体は、メモリ１２３に位置し、処理ユニット１２２は、メモリ１２３における情報を読み出し、処理ユニットのハードウェアと組み合わせて先述の方法の段階を完了させる。
【０１７６】
［実施形態１３］
図１６は、本願発明の実施形態１３に係る受信ステーションのブロック図である。図１６における受信ステーションは、インターフェース１３１と、処理ユニット１３２と、メモリ１３３とを備える。処理ユニット１３２は、受信ステーション１３０の動作を制御する。メモリ１３３は、リードオンリメモリおよびランダムアクセスメモリを含んでよく、処理ユニット１３２に対して命令およびデータを提供する。メモリ１３３の一部はまた、不揮発性ランダムアクセスメモリ（ＮＶＲＡＭ）を含んでよい。受信ステーション１３０の構成要素は、バスシステム１３９を用いることにより、互いに連結される。バスシステム１３９は、データバスを含むだけではなく、電力バス、制御バス、およびステータス信号バスも含む。しかしながら、明確な説明のため、図面における各バスは、バスシステム１３９と示される。
【０１７７】
本発明の先述の実施形態において開示されている、先述の様々なフレームを受信するための方法は、処理ユニット１３２に適用してよく、または、処理ユニット１３２により実装されてよい。実装プロセスにおいて、先述の方法の段階は、処理ユニット１３２におけるハードウェアの集積論理回路を用いることにより、または、ソフトウェア形態の命令を用いることにより、完了されてよい。処理ユニット１３２は、汎用プロセッサ、デジタル信号プロセッサ、特定用途向け集積回路、フィールドプログラマブルゲートアレイ、または、別のプログラマブルロジックデバイス、個別のゲートもしくはトランジスタロジックデバイス、あるいは、個別のハードウェア構成要素であってよく、本願発明の実施形態において開示されている各方法、段階、および論理ブロック図を実装または実行できる。汎用プロセッサは、マイクロプロセッサ、または任意の従来のプロセッサ、もしくは同様のものであってよい。本願発明の実施形態に関連して開示されている方法の段階は、ハードウェアプロセッサにより直接実行されてよく、または、プロセッサにおけるハードウェアとソフトウェアモジュールとの組み合わせを用いることにより、実行されてよい。ソフトウェアモジュールは、ランダムアクセスメモリ、フラッシュメモリ、リードオンリメモリ、プログラマブルリードオンリメモリ、電気的に消去可能なプログラマブルメモリ、レジスタ、または同様のものなどの、当分野の成熟した記憶媒体に位置してよい。記憶媒体は、メモリ１３３に位置し、処理ユニット１３２は、メモリ１３３における情報を読み出し、処理ユニットのハードウェアと組み合わせて先述の方法の段階を完了させる。
【０１７８】
［実施形態１４］
図１７は、本願発明の実施形態１４に係る送信ステーションのブロック図である。図１７における送信ポイントは、インターフェース１４１と、処理ユニット１４２と、メモリ１４３とを備える。処理ユニット１４２は、送信ステーション１４０の動作を制御する。メモリ１４３は、リードオンリメモリおよびランダムアクセスメモリを含んでよく、処理ユニット１４２に対して命令およびデータを提供する。メモリ１４３の一部はまた、不揮発性ランダムアクセスメモリ（ＮＶＲＡＭ）を含んでよい。送信ステーション１４０の構成要素は、バスシステム１４９を用いることにより、互いに連結される。バスシステム１４９は、データバスを含むだけではなく、電力バス、制御バス、およびステータス信号バスも含む。しかしながら、明確な説明のため、図面における各バスは、バスシステム１４９と示される。
【０１７９】
本発明の先述の実施形態において開示されている、先述の様々なフレームを送信するための方法は、処理ユニット１４２に適用してよく、または、処理ユニット１４２により実装されてよい。実装プロセスにおいて、先述の方法の段階は、処理ユニット１４２におけるハードウェアの集積論理回路を用いることにより、または、ソフトウェア形態の命令を用いることにより、完了されてよい。処理ユニット１４２は、汎用プロセッサ、デジタル信号プロセッサ、特定用途向け集積回路、フィールドプログラマブルゲートアレイ、または、別のプログラマブルロジックデバイス、個別のゲートもしくはトランジスタロジックデバイス、あるいは、個別のハードウェア構成要素であってよく、本願発明の実施形態において開示されている各方法、段階、および論理ブロック図を実装または実行できる。汎用プロセッサは、マイクロプロセッサ、または任意の従来のプロセッサ、もしくは同様のものであってよい。本願発明の実施形態に関連して開示されている方法の段階は、ハードウェアプロセッサにより直接実行されてよく、または、プロセッサにおけるハードウェアとソフトウェアモジュールとの組み合わせを用いることにより、実行されてよい。ソフトウェアモジュールは、ランダムアクセスメモリ、フラッシュメモリ、リードオンリメモリ、プログラマブルリードオンリメモリ、電気的に消去可能なプログラマブルメモリ、レジスタ、または同様のものなどの、当分野の成熟した記憶媒体に位置してよい。記憶媒体は、メモリ１４３に位置し、処理ユニット１４２は、メモリ１４３における情報を読み出し、処理ユニットのハードウェアと組み合わせて先述の方法の段階を完了させる。
【０１８０】
［実施形態１５］
図１８は、本願発明の実施形態１５に係る受信ステーションのブロック図である。図１８における受信ステーションは、インターフェース１５１と、処理ユニット１５２と、メモリ１５３とを備える。処理ユニット１５２は、受信ステーション１５０の動作を制御する。メモリ１５３は、リードオンリメモリおよびランダムアクセスメモリを含んでよく、処理ユニット１５２に対して命令およびデータを提供する。メモリ１５３の一部はまた、不揮発性ランダムアクセスメモリ（ＮＶＲＡＭ）を含んでよい。受信ステーション１５０の構成要素は、バスシステム１５９を用いることにより、互いに連結される。バスシステム１５９は、データバスを含むだけではなく、電力バス、制御バス、およびステータス信号バスも含む。しかしながら、明確な説明のため、図面における各バスは、バスシステム１５９と示される。
【０１８１】
本発明の先述の実施形態において開示されている、先述の様々なフレームを受信するための方法は、処理ユニット１５２に適用してよく、または、処理ユニット１５２により実装されてよい。実装プロセスにおいて、先述の方法の段階は、処理ユニット１５２におけるハードウェアの集積論理回路を用いることにより、または、ソフトウェア形態の命令を用いることにより、完了されてよい。処理ユニット１５２は、汎用プロセッサ、デジタル信号プロセッサ、特定用途向け集積回路、フィールドプログラマブルゲートアレイ、または、別のプログラマブルロジックデバイス、個別のゲートもしくはトランジスタロジックデバイス、あるいは、個別のハードウェア構成要素であってよく、本願発明の実施形態において開示されている各方法、段階、論理ブロック図を実装または実行できる。汎用プロセッサは、マイクロプロセッサ、または任意の従来のプロセッサ、もしくは同様のものであってよい。本願発明の実施形態に関連して開示されている方法の段階は、ハードウェアプロセッサにより直接実行されてよく、または、プロセッサにおけるハードウェアとソフトウェアモジュールとの組み合わせを用いることにより、実行されてよい。ソフトウェアモジュールは、ランダムアクセスメモリ、フラッシュメモリ、リードオンリメモリ、プログラマブルリードオンリメモリ、電気的に消去可能なプログラマブルメモリ、レジスタ、または同様のものなどの、当分野の成熟した記憶媒体に位置してよい。記憶媒体は、メモリ１５３に位置し、処理ユニット１５２は、メモリ１５３における情報を読み出し、処理ユニットのハードウェアと組み合わせて先述の方法の段階を完了させる。
【０１８２】
先述の実施形態は単に、本願発明の技術的解決手段を説明することを意図しており、本願発明を制限することを意図しない。本願発明は先述の実施形態に関連して詳細に説明されたが、当業者は、彼らがさらに、本願発明の実施形態の技術的解決手段の範囲から逸脱することなく、先述の実施形態において説明された技術的解決手段に対して変更を施し得ること、または、これらのいくつかの技術的特徴に対して同等な置き換えを施し得ることを理解するべきである。
【０１８３】
以下の内容は、先述の実施形態の補足である。
【０１８４】
［実施形態１６］
この実施形態は、送信側および受信側により実行される段階を含み、実施形態２の内容についての解釈、またはさらなる説明を提供する。
【０１８５】
送信側では、以下の通りである。
【０１８６】
段階１：ＰＰＤＵを生成する段階であり、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置する、段階である。インジケーション情報は、ＳＥフィールドのシンボル長に基づいて生成される。
【０１８７】
任意で、現在のＰＰＤＵがＳＥを含むかは、ＢＷ、ＭＣＳ、空間フローの数、符号化方式、または、現在のＨＥ−ＳＩＧにおける別のパラメータに従って、決定され得る。
【０１８８】
一般的に、送信側は、ＰＰＤＵに実際に含まれるＯＦＤＭシンボルの数量Ｎ、および、ＰＰＤＵにおける、レガシーシグナリングフィールドＬ−ＳＩＧにおける長さフィールドを用いて計算されるＯＦＤＭシンボルの数量Ｍに従って、インジケーション情報を取得する。
【０１８９】
任意で、Ｎ＝Ｍである場合、インジケーション情報の値は、第１値であり、Ｎ≠Ｍである場合、インジケーション情報の値は、第２値である。
【０１９０】
例えば、Ｎを計算するための数式は、具体的には、以下の通りである。
【数６】
2020039156.tif 000008
ここで、Ａ＿ＭＰＤＵ＿ＬＥＮＧＴＨは、ＭＡＣ層データパケットの長さであり、ＮＤＢＰＳは、各ＯＦＤＭシンボルにおいて保持されるデータビットの数量であり、時空符号化が用いられる場合、ｍＳＴＢＣ＝２であり、または、他の場合はｍＳＴＢＣ＝１であり、ＢＣＣ符号化が用いられる場合、ＮＴａｉｌ＝６×エンコーダの数量であり、または、ＬＤＰＣ符号化が用いられる場合はＮＴａｉｌ＝０である。
【０１９１】
任意で、送信側がＬＤＰＣ符号化を用いる場合、Ｎの値は、符号化パラメータに従って更新される必要がある。
【０１９２】
Ｍを計算するための数式は、具体的には、以下の通りである。
【数７】
2020039156.tif 000009
ここで、
【数８】
2020039156.tif 000010
Ｌ＿ＬＥＮＧＴＨは、送信側のＬ＿ＰＲＥＡＭＢＬＥにおける長さインジケーションであり、ＴＬ＿ＰＲＥＡＭＢＬＥは、Ｌ＿ＰＲＥＡＭＢＬＥの送信時間を表し、ＴＨＥ−ＰＲＥＡＭＢＬＥは、ＨＥ＿ＰＲＥＡＭＢＬＥの送信時間を表し、ＴＧＩは、ＰＰＤＵのガードインターバルを表す。
【０１９３】
より具体的には、
【数９】
2020039156.tif 000011
【０１９４】
当業者は、ＳＥのシンボル長がＭの値に影響を与え、それにより、インジケーション情報の値に影響をもたらすことが、先述の数式から分かることを理解し得る。
【０１９５】
段階２：ＰＰＤＵを送信する段階である。
【０１９６】
より具体的には、インジケーション情報は、ＨＥ−ＳＩＧに含まれる明示的な、または暗黙のインジケーションであってよく、または、Ｌ−ＳＩＧにおける暗黙のビットインジケーションが、用いられてよい。もちろん、このことは、先述の実装方式に限定されない。
【０１９７】
Ｌ−ＳＩＧにおける暗黙のビットインジケーションを用いることは、以下のことを含むが、これらに限定されない：Ｌ＿ＬＥＮＧＴＨモジュロ３のリメインダｍを用いることにより、送信側において段階４に示されているように、値を保持し、例えば、Ｎ＝Ｍである場合、リメインダｍ＝１であり、もしくは、Ｎ！＝Ｍである場合、リメインダｍ＝２であり、または、逆に、Ｎ＝Ｍである場合、リメインダｍ＝２であり、もしくは、Ｎ！＝Ｍである場合、リメインダｍ＝１である。Ｌ−ＳＩＧおよびＲＬ−ＳＩＧの極性、またはＬ−ＳＩＧおよびＲＬ−ＳＩＧのいくつかのビットの極性を用いることにより値を保持し、例えば、Ｎ＝Ｍである場合、ＲＬ−ＳＩＧ＝Ｌ−ＳＩＧであり、または、Ｎ！＝Ｍである場合、ＲＬ−ＳＩＧ＝−ＬＳＩＧである。
【０１９８】
受信側では、以下の通りである。
【０１９９】
段階１０：ＰＰＤＵを受信する段階である。
【０２００】
段階２０：ＰＰＤＵの送信におけるＯＦＤＭシンボルの数量Ｍ１を取得するべく、ＰＰＤＵをパースする段階である。
【０２０１】
任意で、インジケーション情報の値が第１値である場合、Ｍ１の値は、不変であり、インジケーション情報の値が第２値である場合、Ｍ１から１を減算する。
【０２０２】
随意の例において、受信側がＰＰＤＵの送信におけるＯＦＤＭシンボルの数量Ｍ１を取得するプロセスは、以下の段階を含んでよい。
【０２０３】
段階２００１：ＰＰＤＵに含まれ、かつ、ＰＰＤＵをパースすることにより取得されるＬ＿ＬＥＮＧＴＨインジケーションに従って、受信時間ＲＸＴＩＭＥを取得する段階である。
【０２０４】
任意で、
【数１０】
2020039156.tif 000012
【０２０５】
段階２００２：ＲＸＴＩＭＥに従って、受信側のＯＦＤＭシンボルの数量Ｍ１を取得する段階である。
【数１１】
2020039156.tif 000013
【０２０６】
任意で、信号拡張の長さと、最後のシンボルにおいて符号化が停止される位置との間に１対１の対応関係が存在する場合、例えば、ＳＥの長さが、最後のシンボルにおいて符号化が停止される位置である１／４、１／２、３／４、および１にそれぞれ対応して、４μｓ、８μｓ、１２μｓ、および１６μｓという４つの値を有し、次に、受信側が最後のシンボルにおいて符号化を停止する位置も、アンビギュイティのインジケーションおよびＬ＿ＬＥＮＧＴＨの計算を用いて、取得され得ることに留意するべきである。  具体的な動作は、以下の通りである。
【数１２】
2020039156.tif 000014
上記数式を計算し、ここで、図１９に示されているように、０≦Δｔ＜４ｕｓである場合、ＳＥの長さ＝０であり、すなわち、ＳＥが存在せず、最後のシンボルが計算される。図２０に示されているように、４ｕｓ≦Δｔ＜８ｕｓである場合、ＳＥの長さ＝４μｓであり、最後のシンボルにおいて符号化が停止される対応位置が１／４である。図２１に示されているように、８ｕｓ≦Δｔ＜１２ｕｓである場合、ＳＥの長さ＝８μｓであり、最後のシンボルにおいて符号化が停止される対応位置が１／２である。図２２に示されているように、１２ｕｓ≦Δｔ＜１６ｕｓである場合、ＳＥの長さ＝１２μｓであり、最後のシンボルにおいて符号化が停止される対応位置が３／４である。図２３に示されているように、Δｔ＞１６ｕｓである場合、ＳＥの長さ＝１６μｓであり、最後のシンボルにおいて符号化が停止される対応位置が４／４である。
【０２０７】
本願発明のこの実施形態によれば、物理層プロトコルデータユニットＰＰＤＵの送信中、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置する。本願発明のこの実施形態の適用は、受信側が特徴信号シーケンスの開始位置を決定することを可能にし、受信側がデータの処理および状態の切り替えを迅速に完了させることを保証する。
【０２０８】
［実施形態１７］
送信側では、以下の通りである。
【０２０９】
段階１：ＰＰＤＵを生成する段階であって、ＰＰＤＵは、インジケーション情報を含み、インジケーション情報は、高効率シグナリングフィールドＨＥ−ＳＩＧに位置し、ＰＰＤＵは、信号拡張ＳＥフィールドを含み、ＳＥフィールドは、有用な情報を保持する最後の直交周波数分割多重方式ＯＦＤＭシンボルの後ろに位置し、インジケーション情報は、ＳＥフィールドの区間ＴＳＥを示すために用いられる、段階である。
【０２１０】
任意で、現在のＰＰＤＵがＳＥを含むかは、ＢＷ、ＭＣＳ、空間フローの数、符号化方式、または現在のＨＥ−ＳＩＧにおいて示されている同様のものに従って、決定され得る。
【０２１１】
段階２：ＰＰＤＵを送信する段階である。
【０２１２】
受信側では、以下の通りである。
【０２１３】
段階１０：ＰＰＤＵを受信する段階である。
【０２１４】
段階２０：ＰＰＤＵの送信におけるＯＦＤＭシンボルの数量Ｍ２を取得するべく、ＰＰＤＵをパースする段階である。
【０２１５】
任意で、ＰＰＤＵの送信におけるＯＦＤＭシンボルの数量Ｍ２を取得するための具体的な方法について、先述の実装方式１７の段階２００１および段階２００２の実装方式を参照し、詳細は、ここでは繰り返されない。
【０２１６】
段階３０：Ｓの値を計算する段階であって、Ｓは、Ｌ＿ＬＥＮＧＴＨを用いることにより計算される受信時間ＲＸＴＩＭＥ、およびデータパケットの実際の送信時間である、段階、かつ、Ｓと示される区間ＴＳＥとの間の関係に従って、Ｍ２に対して対応動作を実行する段階である。
【０２１７】
具体的には、以下の通りである。
【数１３】
2020039156.tif 000015
【０２１８】
例えば、ＴＳＥ＞ｔ１、かつ、Ｓ＜ＴＳＥである場合、Ｍ２から１を減算し、ＴＳＥ＜ｔ２、かつ、Ｓ＜ＴＳＥである場合、Ｍ２の値は不変であり、さらに、受信側は、実際のＴＳＥ時間を決定してよく、Ｓ≧ＴＳＥである場合、Ｍ２の値は不変である。
【０２１９】
ｔ１の値の範囲は、（８μｓ、１２μｓ）であり、ｔ２の値の範囲は、ｔ１の値の範囲と同じである。
【図１】
2020039156.tif 000016
【図２】
2020039156.tif 000017
【図３】
2020039156.tif 000018
【図４】
2020039156.tif 000019
【図５】
2020039156.tif 000020
【図６】
2020039156.tif 000021
【図７】
2020039156.tif 000022
【図８】
2020039156.tif 000023
【図９】
2020039156.tif 000024
【図１０】
2020039156.tif 000025
【図１１】
2020039156.tif 000026
【図１２】
2020039156.tif 000027
【図１３】
2020039156.tif 000028
【図１４】
2020039156.tif 000029
【図１５】
2020039156.tif 000030
【図１６】
2020039156.tif 000031
【図１７】
2020039156.tif 000032
【図１８】
2020039156.tif 000033
【図１９】
2020039156.tif 000034
【図２０】
2020039156.tif 000035
【図２１】
2020039156.tif 000036
【図２２】
2020039156.tif 000037
【図２３】
2020039156.tif 000038
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
無線ローカルエリアネットワークにおいて適用され、プロセッサとメモリとを備える物理層プロトコルデータユニット（ＰＰＤＵ）送信装置であって、
前記メモリは、前記プロセッサに接続され、複数の命令を格納し、
前記複数の命令は、前記プロセッサによって実行される場合、
ＰＰＤＵを生成する段階であって、前記ＰＰＤＵは、レガシーシグナリングフィールド（Ｌ−ＳＩＧフィールド）と、インジケーション情報と、信号拡張フィールド（ＳＥフィールド）と、を有し、前記ＳＥフィールドは、前記ＰＰＤＵにおいて有用な情報を保持する最後の直交周波数分割多重方式シンボル（ＯＦＤＭシンボル）の後に位置し、前記Ｌ−ＳＩＧフィールドは、長さを示す長さフィールドを有し、前記インジケーション情報の値は、前記ＳＥフィールドの長さに基づいて設定され、前記インジケーション情報は、受信側が、前記長さフィールドによって示される前記長さに基づいて算出されるＯＦＤＭシンボルの数量Ｍ１から１を減算する必要があるかどうかを示し、前記インジケーション情報の第１の値は、前記受信側がＭ１の値を不変のままに保つように指示し、前記インジケーション情報の第２の値は、前記受信側が前記Ｍ１の値から１を減算するように示す、段階と、
前記受信側に前記ＰＰＤＵを送信する段階と、を実行するように前記装置に指示する、
装置。
【請求項２】
無線ローカルエリアネットワークにおいて適用され、プロセッサとメモリとを備える物理層プロトコルデータユニット（ＰＰＤＵ）受信装置であって、
前記メモリは、前記プロセッサに接続され、複数の命令を格納し、
前記複数の命令は、前記プロセッサによって実行される場合、
送信側からのＰＰＤＵを受信する段階であって、前記ＰＰＤＵは、レガシーシグナリングフィールド（Ｌ−ＳＩＧフィールド）と、インジケーション情報と、信号拡張フィールド（ＳＥフィールド）と、を有し、前記ＳＥフィールドは、前記ＰＰＤＵにおいて有用な情報を保持する最後の直交周波数分割多重方式シンボル（ＯＦＤＭシンボル）の後に位置し、前記インジケーション情報の値は、前記ＳＥフィールドの長さに基づいて設定され、前記Ｌ−ＳＩＧフィールドは、長さを示す長さフィールドを有し、前記インジケーション情報は、前記装置が、前記長さフィールドによって示される前記長さに基づいて前記装置によって算出されるＯＦＤＭシンボルの数量Ｍ１から１を減算する必要があるかどうかを示し、前記インジケーション情報の第１の値は、前記装置がＭ１の値を不変のままに保つように指示し、前記インジケーション情報の第２の値は、前記装置が前記Ｍ１の値から１を減算するように指示する、段階と、
前記インジケーション情報の値が前記第１の値である場合、前記装置に対するＯＦＤＭシンボルの数量がＭ１の値と等しいと決定する段階と、
前記インジケーション情報の値が前記第２の値である場合、前記装置に対するＯＦＤＭシンボルの数量が（Ｍ１−１）と等しいと決定する段階と、を実行するように前記装置に指示する、
装置。
【請求項３】
前記インジケーション情報は、前記長さフィールドによって示される前記長さに基づいてさらに設定される
請求項１または２に記載の装置。
【請求項４】
前記ＳＥフィールドの前記長さは、０μｓ、４μｓ、８μｓ、１２μｓ、または１６μｓである
請求項１から３のいずれか一項に記載の装置。
【請求項５】
前記ＰＰＤＵは、高効率シグナリングフィールド（ＨＥ−ＳＩＧフィールド）を更に含み、前記ＨＥ−ＳＩＧフィールドは、前記インジケーション情報を含む
請求項１から４のいずれか一項に記載の装置。
【請求項６】
前記ＰＰＤＵは、データフィールドをさらに含み、前記Ｍ１は、前記データフィールドにおける算出されたＯＦＤＭシンボルの数量である
請求項１から５のいずれか一項に記載の装置。
【請求項７】
前記ＳＥフィールドの長さは、前記最後のＯＦＤＭシンボルにおいて符号化が停止された位置に対応する
請求項１から６のいずれか一項に記載の装置。
【請求項８】
前記ＳＥフィールドの前記長さは、４つの値である４μｓ、８μｓ、１２μｓ、および１６μｓを有し、それぞれが前記ＰＰＤＵにおける前記最後のＯＦＤＭシンボルにおいて符号化が停止された位置である１／４、１／２、３／４、および１に対応する
請求項７に記載の装置。
【請求項９】
無線ローカルエリアネットワークにおいて適用される、物理層プロトコルデータユニット（ＰＰＤＵ）を送信する方法であって、
送信側によってＰＰＤＵを生成する段階であって、前記ＰＰＤＵは、レガシーシグナリングフィールド（Ｌ−ＳＩＧフィールド）と、インジケーション情報と、信号拡張フィールド（ＳＥフィールド）と、を有し、前記ＳＥフィールドは、前記ＰＰＤＵにおいて有用な情報を保持する最後の直交周波数分割多重方式シンボル（ＯＦＤＭシンボル）の後に位置し、前記Ｌ−ＳＩＧフィールドは、長さを示す長さフィールドを有し、前記インジケーション情報の値は、前記ＳＥフィールドの長さに基づいて設定され、前記インジケーション情報は、受信側が、前記長さフィールドによって示される前記長さに基づいて算出されるＯＦＤＭシンボルの数量Ｍ１から１を減算する必要があるかどうかを示し、前記インジケーション情報の第１の値は、前記受信側がＭ１の値を不変のままに保つように指示し、前記インジケーション情報の第２の値は、前記受信側が前記Ｍ１の値から１を減算するように指示する、段階と、
前記受信側に前記ＰＰＤＵを送信する段階と、を備える
方法。
【請求項１０】
無線ローカルエリアネットワークにおいて適用される、物理層プロトコルデータユニット（ＰＰＤＵ）を受信する方法であって、
送信側からのＰＰＤＵを受信側で受信する段階であって、前記ＰＰＤＵは、レガシーシグナリングフィールド（Ｌ−ＳＩＧフィールド）と、インジケーション情報と、信号拡張フィールド（ＳＥフィールド）と、を有し、前記ＳＥフィールドは、前記ＰＰＤＵにおいて有用な情報を保持する最後の直交周波数分割多重方式シンボル（ＯＦＤＭシンボル）の後に位置し、前記インジケーション情報の値は、前記ＳＥフィールドの長さに基づいて設定され、前記Ｌ−ＳＩＧフィールドは、長さを示す長さフィールドを有し、前記インジケーション情報は、前記受信側が、前記長さフィールドによって示される前記長さに基づいて前記受信側によって算出されるＯＦＤＭシンボルの数量Ｍ１から１を減算する必要があるかどうかを示し、前記インジケーション情報の第１の値は、前記受信側がＭ１の値を不変のままに保つように指示し、前記インジケーション情報の第２の値は、前記受信側が前記Ｍ１の値から１を減算するように指示する、段階と、
前記インジケーション情報の値が前記第１の値である場合、前記受信側に対するＯＦＤＭシンボルの数量がＭ１の値と等しいと前記受信側で決定する段階と、
前記インジケーション情報の値が前記第２の値である場合、前記受信側に対するＯＦＤＭシンボルの数量が（Ｍ１−１）と等しいと前記受信側で決定する段階と、を備える
方法。
【請求項１１】
前記ＰＰＤＵは、高効率シグナリングフィールド（ＨＥ−ＳＩＧフィールド）を更に含み、前記ＨＥ−ＳＩＧフィールドは、前記インジケーション情報を含む
請求項９または１０に記載の方法。
【請求項１２】
前記ＰＰＤＵは、データフィールドをさらに含み、Ｍ１は、前記データフィールドにおける算出されたＯＦＤＭシンボルの数量である
請求項９から１１のいずれか一項に記載の方法。
【請求項１３】
前記ＳＥフィールドの前記長さは、０μｓ、４μｓ、８μｓ、１２μｓ、または１６μｓである
請求項９から１２のいずれか一項に記載の方法。
【請求項１４】
前記ＳＥフィールドの長さは、前記ＰＰＤＵにおける前記最後のＯＦＤＭシンボルにおいて符号化が停止された位置に対応する
請求項９から１３のいずれか一項に記載の方法。
【請求項１５】
前記ＳＥフィールドの前記長さは、４つの値である４μｓ、８μｓ、１２μｓ、および１６μｓを有し、それぞれが前記ＰＰＤＵにおける前記最後のＯＦＤＭシンボルにおいて符号化が停止された位置である１／４、１／２、３／４、および１に対応する
請求項１４に記載の方法。
【外国語明細書】
2020039156000001.pdf